(57)【要約】【課題】  反射光によって観察した場合には万線のみが観察されて一見して偽造防止判別要素があることが分からないが、透過光によって観察したときに潜像が観察されることで偽造防止を図る印刷物を提供する。【解決手段】  下層、中間層、上層が積層されて成る積層体の少なくとも一方の面に、第１の方向に複数配置された第１の要素によって第１の模様を形成し、中間層を構成する光遮蔽層に、第２の方向に複数配置された第２の要素によって第２の模様を形成する。このとき、第２の模様を構成する第２の要素の位相を部分的に異ならせ及び／又は第２の要素の幅の一部を異ならせることにより潜像模様を形成する。また、第１の模様は潜像部の少なくとも一部に重なるように配置する。【選択図】  図１
2010083053.tif 000002
【特許請求の範囲】
【請求項１】
下層、中間層、上層が積層されて成る積層体の一方の面の少なくとも一部に、第１の模様が形成されて成る潜像模様形成体であって、前記下層及び前記上層は、光透過性の基材であり、前記中間層は、少なくとも光遮蔽性の材料による光遮蔽層を有し、前記第１の模様は、前記下層を構成する基材及び前記上層を構成する基材の色と異なる色材によって、第１の方向に複数配置された第１の要素から成り、前記中間層を構成する前記光遮蔽層の少なくとも一部に、第２の方向に複数配置された第２の要素によって第２の模様が形成され、前記第２の模様には、前記第２の要素の位相を部分的に異ならせ及び／又は前記第２の要素の幅の一部を異ならせることによって潜像模様が形成され、前記第２の模様は、前記第２の要素の位相を部分的に異ならせた部分及び／又は前記第２の要素の幅の一部を異ならせた部分によって背景部と潜像部に区分けされ、前記第１の模様は、前記潜像部の少なくとも一部に重なって配置されることを特徴とする潜像模様形成体。
【請求項２】
前記第１の方向と前記第２の方向が同じ方向であることを特徴とする請求項１に記載の潜像模様形成体。
【請求項３】
前記第１の方向と前記第２の方向が異なる方向であることを特徴とする請求項１に記載の潜像模様形成体。
【請求項４】
下層、中間層、上層が積層されて成る積層体の一方の面の少なくとも一部に、第１の模様が形成され、他方の面の少なくとも一部に、第３の模様が形成されて成る潜像模様形成体であって、前記下層及び前記上層は、光透過性の基材であり、前記中間層は、少なくとも光遮蔽性の材料による光遮蔽層を有し、前記第１の模様は、前記下層を構成する基材及び前記上層を構成する基材の色と異なる色材によって、第１の方向に複数配置された第１の要素から成り、前記第３の模様は、前記下層を構成する基材及び前記上層を構成する基材の色と異なる色材によって、第３の方向に複数配置された第３の要素から成り、前記中間層を構成する前記光遮蔽層の少なくとも一部に、第２の方向に複数配置された第２の要素によって第２の模様が形成され、前記第２の模様には、前記第２の要素の位相を部分的に異ならせ及び／又は前記第２の要素の幅の一部を異ならせることによって潜像模様が形成され、前記第２の模様は、前記第２の要素の位相を部分的に異ならせた部分及び／又は前記第２の要素の幅の一部を異ならせた部分によって背景部と潜像部に区分けされ、  前記第１の模様と前記第３の模様は、前記潜像部の少なくとも一部に重なって配置されることを特徴とする潜像模様形成体。
【請求項５】
前記第１の方向、前記第２の方向及び前記第３の方向が、同じ方向であることを特徴とする請求項４に記載の潜像模様形成体。
【請求項６】
前記第１の方向、前記第２の方向及び前記第３の方向のうち、少なくとも一つの方向が、残りの方向の少なくとも一つと異なる方向であることを特徴とする請求項４に記載の潜像模様形成体。
【請求項７】
前記中間層は、光透過性の基材の上に、前記光遮蔽層が形成されて成ることを特徴とする請求項１乃至６のいずれか１項に記載の潜像模様形成体。
【発明の詳細な説明】
【技術分野】
【０００１】
本発明は、銀行券、株券、有価証券、通行券、パスポート、商品券、カード等の偽造防止が要求される貴重印刷物に適用される、潜像模様形成体である。
【背景技術】
【０００２】
銀行券、株券、債券等の有価証券、カード、各種証明書及び重要書類等の貴重印刷物は、その性質上、偽造や改ざんされないことが要求される。その防止策としては、特殊インキによる印刷、ホログラム、スレッド、微少文字印刷等がある。
【０００３】
一方、モアレが観察できる印刷物として、厚みを有する透明性シートの表面に、所定ピッチの多数の平行した直線から成る模様が形成され、裏面に前述した模様と相似形状又はピッチが異なるモアレ縞が形成された装飾シートがある（例えば、特許文献１参照）。
【０００４】
また、色の異なる万線の角度を互いにずらして形成されて成る複写防止パターンを設けた複写防止印刷物がある（例えば、特許文献２参照）。さらに、特許文献２には、複写防止印刷物に設けられる複写防止パターンの一部に、レリーフ状の文字、記号、図形等の識別要素を組み合わせることも記載されている。
【０００５】
また、潜像の内側領域と外側領域でそれぞれの万線を半ピッチずらして形成される潜像万線パターンを備える万線パターンが用紙に印刷された印刷物と、該印刷物の上に、透明フィルムに多数の平行線条の万線パターンが形成された万線シートを重ね合わせると、潜像パターンが浮かび上がる印刷物がある（例えば、特許文献３参照）。
【０００６】
【特許文献１】特許第３１３１７７１号公報
【特許文献２】特開平１１−３４８４７３号公報
【特許文献３】特開平１３−２１３０４２号公報
【発明の開示】
【発明が解決しようとする課題】
【０００７】
しかしながら、特許文献１の発明は、透明性シートの表裏にピッチの異なる直線模様を形成しているため、透過光及び反射光のいずれにおいてもモアレが観察されるため、複製されやすいものであった。
【０００８】
また、特許文献２の発明においても、反射光でモアレが観察されるため、複製されやすいものであった。
【０００９】
また、特許文献３の発明においては、潜像を観察するために、判別具を用いる必要があり、印刷物自体で真偽判別できるものではなかった。
【００１０】
本発明は、前述した課題を解決することを目的とするものであり、判別具を用いることなく印刷物自体で真偽判別することが可能であり、反射光で観察した場合には万線のみが観察されて一見して偽造防止判別要素があることが分からないが、透過光で観察したときに潜像が観察されることで偽造防止を図る印刷物を提供するものである。
【課題を解決するための手段】
【００１１】
本発明の潜像模様形成体は、下層、中間層、上層が積層されて成る積層体の一方の面の少なくとも一部に、第１の模様が形成されて成る潜像模様形成体であって、下層及び上層は、光透過性の基材であり、中間層は、少なくとも光遮蔽性の材料による光遮蔽層を有し、第１の模様は、下層を構成する基材及び上層を構成する基材の色と異なる色材によって、第１の方向に複数配置された第１の要素から成り、中間層を構成する光遮蔽層の少なくとも一部に、第２の方向に複数配置された第２の要素によって第２の模様が形成され、第２の模様には、第２の要素の位相を部分的に異ならせる及び／又は第２の要素の幅の一部を異ならせることによって潜像模様が形成され、第２の模様は、第２の要素の位相を部分的に異ならせた部分及び／又は第２の要素の幅の一部を異ならせた部分によって背景部と潜像部に区分けされ、第１の模様は、潜像部の少なくとも一部に重なって配置されることを特徴とする。
【００１２】
また、本発明の潜像模様形成体は、下層、中間層、上層が積層されて成る積層体の一方の面の少なくとも一部に、第１の模様が形成され、他方の面の少なくとも一部に、第３の模様が形成されて成る潜像模様形成体であって、下層及び上層は、光透過性の基材であり、中間層は、少なくとも光遮蔽性の材料による光遮蔽層を有し、第１の模様は、下層を構成する基材及び上層を構成する基材の色と異なる色材によって、第１の方向に複数配置された第１の要素から成り、第３の模様は、下層を構成する基材及び上層を構成する基材の色と異なる色材によって、第３の方向に複数配置された第３の要素から成り、中間層を構成する光遮蔽層の少なくとも一部に、第２の方向に複数配置された第２の要素によって第２の模様が形成され、第２の模様には、第２の要素の位相を部分的に異ならせる及び／又は第２の要素の幅の一部を異ならせることによって潜像模様が形成され、第２の模様は、第２の要素の位相を部分的に異ならせた部分及び／又は第２の要素の幅の一部を異ならせた部分によって背景部と潜像部に区分けされ、第１の模様と第３の模様は、潜像部の少なくとも一部に重なって配置されることを特徴とする。
【００１３】
また、本発明の潜像模様形成体は、第１の模様が、第１の方向に第１のピッチにより規則的に複数配置された第１の要素から成ることを特徴とする。
【００１４】
また、本発明の潜像模様形成体は、第２の模様が、第２の方向に第２のピッチにより規則的に複数配置された第２の要素から成ることを特徴とする。
【００１５】
また、本発明の潜像模様形成体は、第３の模様が、第３の方向に第３のピッチにより規則的に複数配置された第３の要素から成ることを特徴とする。
【００１６】
また、本発明の潜像模様形成体は、第１のピッチと第２のピッチが同じピッチであることを特徴とする。
【００１７】
また、本発明の潜像模様形成体は、第１の方向と前記第２の方向が同じ方向であることを特徴とする。
【００１８】
また、本発明の潜像模様形成体は、第１の方向と前記第２の方向が異なる方向であることを特徴とする。
【００１９】
また、本発明の潜像模様形成体は、第１のピッチと第２のピッチが異なるピッチであることを特徴とする。
【００２０】
また、本発明の潜像模様形成体は、第１のピッチと第２のピッチが異なるピッチであり、第１の方向と前記第２の方向が同じ方向であることを特徴とする。
【００２１】
また、本発明の潜像模様形成体は、第１のピッチと第２のピッチが異なるピッチであり、第１の方向と前記第２の方向が異なる方向であることを特徴とする。
【００２２】
また、本発明の潜像模様形成体において、第１の模様が潜像部に重なる配置は、第１の模様を構成する第１の要素が、第２の模様の潜像部を構成する第２の要素に重なる又は背景部を構成する第２の要素に重なる配置であることを特徴とする。
【００２３】
また、本発明の潜像模様形成体において、第１の模様が潜像部に重なる配置は、第１の模様を構成する第１の要素が、第２の模様の潜像部を構成する第２の要素及び背景部を構成する第２の要素にまたがるように重なる配置であることを特徴とする。
【００２４】
また、本発明の潜像模様形成体は、潜像部が、第１の模様より小さく形成され、第１の模様が、少なくとも潜像部全体に重なって配置されることを特徴とする。
【００２５】
また、本発明の潜像模様形成体は、第２の模様が、第１の模様より小さく形成され、第１の模様が、少なくとも第２の模様全体に重なって配置されることを特徴とする。
【００２６】
また、本発明の潜像模様形成体は、第１の要素、第２の要素及び第３の要素のうち、少なくとも２つが規則的に複数配置されることを特徴とする。
【００２７】
また、本発明の潜像模様形成体は、第１のピッチ、第２のピッチ及び第３のピッチが、同じピッチであることを特徴とする。
【００２８】
また、本発明の潜像模様形成体は、第１の方向、前記第２の方向及び前記第３の方向が、同じ方向であることを特徴とする。
【００２９】
また、本発明の潜像模様形成体は、第１の方向、第２の方向及び第３の方向のうち、少なくとも一つの方向が、残りの方向の少なくとも一つと異なる方向であることを特徴とする。
【００３０】
また、本発明の潜像模様形成体は、第１のピッチ、第２のピッチ及び第３のピッチのうち、少なくとも一つのピッチが、残りのピッチの少なくとも一つと異なるピッチであることを特徴とする。
【００３１】
また、本発明の潜像模様形成体は、第１のピッチ、第２のピッチ及び第３のピッチのうち、少なくとも一つのピッチが、残りのピッチの少なくとも一つと異なるピッチであり、第１の方向、第２の方向及び第３の方向が、同じ方向であることを特徴とする。
【００３２】
また、本発明の潜像模様形成体は、第１のピッチ、第２のピッチ及び第３のピッチのうち、少なくとも一つのピッチが、残りのピッチの少なくとも一つと異なるピッチであり、第１の方向、第２の方向及び第３の方向のうち、少なくとも一つの方向が、残りの方向の少なくとも一つと異なる方向であることを特徴とする。
【００３３】
また、本発明の潜像模様形成体において、第１の模様と第３の模様が、潜像部に重なる配置は、第１の模様を構成する第１の要素が、第２の模様の潜像部を構成している第２の要素に重なり、第３の模様を構成する第３の要素が、第２の模様の背景部を構成している第２の要素に重なる又は第１の模様を構成する第１の要素が、第２の模様の背景部を構成している第２の要素に重なり、第３の模様を構成している第３の要素が、第２の模様の潜像部を構成している第２の要素に重なる配置であることを特徴とする。
【００３４】
また、本発明の潜像模様形成体において、第１の模様と第３の模様が、潜像部に重なる配置は、第１の模様を構成する第１の要素と第３の模様を構成する第３の要素の両方が、第２の模様の潜像部を構成している第２の要素又は第２の模様の背景部を構成している第２の要素に重なり、いずれか一方が第２の模様の潜像部を構成している第２の要素又は第２の模様の背景部を構成している第２の要素に重なる配置であることを特徴とする。
【００３５】
また、本発明の潜像模様形成体において、第１の模様と第３の模様が、潜像部に重なる配置は、第１の模様を構成する第１の要素が、第２の模様の潜像部を構成している第２の要素及び背景部を構成している第２の要素にまたがるように重なり、第３の模様を構成する第３の要素が、第２の模様の潜像部を構成している第２の要素及び背景部を構成している第２の要素にまたがるように重なる配置であることを特徴とする。
【００３６】
また、本発明の潜像模様形成体は、潜像部が、第１の模様と第３の模様より小さく形成され、第１の模様と第３の模様が、少なくとも第２の模様を構成する潜像部全体に重なって配置されることを特徴とする。
【００３７】
また、本発明の潜像模様形成体は、第２の模様が、第１の模様と第３の模様より小さく形成され、第１の模様と第３の模様が、少なくとも第２の模様全体に重なって配置されることを特徴とする。
【００３８】
また、本発明の潜像模様形成体は、第１の要素及び／又は第２の要素及び／又は第３の要素が、画線及び／又は複数の画素から成ることを特徴とする。
【００３９】
また、本発明の潜像模様形成体は、第１の模様と第３の模様が、互いに異なる色の色材によって形成されることを特徴とする。
【００４０】
また、本発明の潜像模様形成体は、中間層を構成する光遮蔽層が、少なくとも金、銀、銅、アルミニウム、チタンを含む箔、層又はインキによって形成されることを特徴とする。
【００４１】
また、本発明の潜像模様形成体は、中間層が、光透過性の基材の上に、光遮蔽層が形成されて成ることを特徴とする。
【発明の効果】
【００４２】
本発明の潜像模様形成体は、単純に反射光で観察した場合には、第１の模様が観察され、一見して偽造防止判別要素があることが分からないが、透過光で観察した場合に潜像の図柄が現れる。つまり、本発明の潜像模様形成体を複製しようとして第１の模様のみを形成しても、透過光で観察したときに潜像が現れないため、本発明の潜像模様形成体と複製品の真偽判別をすることができると同時に、潜像が現れることによって貴重印刷物の偽造防止を図ることができる。
【００４３】
また、本発明の潜像模様形成体は、単純に反射光で観察した場合には、第１の模様が観察され、透過光で観察した場合に潜像が現れるので、判別具を用いることなく、従来の印刷物と比べて容易に潜像を観察することができる。
【発明を実施するための最良の形態】
【００４４】
本発明を実施するための最良の形態について図面を参照して説明する。しかしながら、本発明は、以下に述べる実施するための最良の形態に限定されるものではなく、特許請求の範囲記載における技術的思想の範囲内であれば、その他のいろいろな実施の形態が含まれる。
【００４５】
（第１の実施の形態）
第１の実施の形態は、積層体の一方の面に第１の模様が形成される潜像模様形成体である。また、第１の模様（１）を構成する第１の要素（１Ａ）が配置される方向と第２の模様（２）を構成する第２の要素（２Ａ）が配置される方向が同じ方向である潜像模様形成体である。
【００４６】
本発明における潜像模様形成体の第１の実施の形態について、図１〜 図１５を用いて説明する。また、第１の実施の形態の潜像模様形成体を観察したときに視認される画像を、図１６〜図１８を用いて説明する。第１の実施の形態は、光遮蔽性の材料によって形成された光遮蔽層が中間層を構成している潜像模様形成体である。また、第１の実施の形態において、第１の模様（１）は、潜像模様形成体（９）の上層側と下層側のいずれか一方に形成することができるが、本説明では、第１の模様（１）が上層側に形成される構成で説明する。
【００４７】
図１は、第１の実施の形態の潜像模様形成体（９）の断面図である。図２は、第１の模様（１）を示す図である。図３（ａ）〜（ｃ）は、第１の要素（１Ａ）が画線で構成される例を示す図である。図４（ａ）〜（ｅ）は、第１の要素（１Ａ）が画素で構成される例を示す図である。図５は、第２の模様（２）の構成を示す図である。図６は、第２の模様（２）の潜像部（２ａ）と背景部（２ｂ）を示す図である。図７は、図５に示す第２の模様（２）とは別の構成の第２の模様（２）を示す図である。図８は、図７に示す第２の模様（２）の潜像部（２ａ）と背景部（２ｂ）を示す図である。図９及び図１０は、第２の模様（２）の構成の例を示す図である。図１１（ａ）〜（ｆ）は、第１の要素（１Ａ）と第２の要素（２Ａ）の画線の幅の関係を示す図である。図１２（ａ）〜（ｄ）は、第１の模様（１）と第２の模様（２）の大きさの関係を示す図である。図１３（ａ）〜図１３（ｅ）は、第１の模様（１）と第２の模様（２）の積層状態を示す図である。図１４は、第２の模様の非要素部（２Ａ’）を説明する図である。図１５（ａ）及び図１５（ｂ）は、第１の要素（１Ａ）と第２の要素（２Ａ）の配置を示す図である。図１６（ａ）は、潜像模様形成体（９）の斜視図であり、図１６（ｂ）及び図１６（ｃ）は、潜像模様形成体（９）を反射光により観察した場合に得られる画像を示す図である。図１７（ａ）は、潜像模様形成体（９）の斜視図であり、図１７（ｂ）及び図１７（ｃ）は、第１の配置の潜像模様形成体（９）を透過光により観察した場合に得られる画像を示す図である。図１８（ａ）は、潜像模様形成体（９）の斜視図であり、図１８（ｂ）及び図１８（ｃ）は、第２の配置の潜像模様形成体（９）を透過光により観察した場合に得られる画像を示す図である。
【００４８】
図１に示す潜像模様形成体（９）は、下層（４）の上に中間層（５）が積層され、中間層（５）の上に上層（６）が積層され、上層（６）の上に、第１の模様（１）が形成されて成る。また、中間層（５）は、光遮蔽層（５ａ）によって構成され、光遮蔽層（５ａ）は、第２の模様（２）が形成されて成る。
【００４９】
（上層、下層：光透過性の基材）
上層（６）及び下層（４）に用いる基材は、光透過性の基材を用いる。このような基材としては、紙、フィルム、プラスチック等を用いればよい。ただし、上層（６）と下層（４）が積層された部分の不透明度が９０％より大きいと、光の透過量が少なくなり、透過光で観察した場合の潜像（８）の視認性が低下することから、上層（６）及び下層（４）に紙基材を用いる場合は、積層したときの不透明度が９０％以下となる基材を用いるのが好ましい。また、上層（６）と下層（４）の色は、同じ色又は異なる色のいずれで形成してもよい。
【００５０】
（第１の模様：構成）
図２に示す第１の模様（１）は、上層（６）の少なくとも一部に、第１の方向に配置された複数の第１の要素（１Ａ）によって形成されて成り、第１の模様（１）は、上層（６）を構成する基材及び下層（４）を構成する基材の色と異なる色の色材を用いて形成されて成る。なお、第１の模様（１）は、第１の要素（１Ａ）を第１のピッチ（Ｐ１）で規則的に複数配置又は第１の要素（１Ａ）を異なるピッチで複数配置のいずれで形成してもよい。
【００５１】
なお、第１の実施の形態の説明において、「第１の方向」とは、第１の要素（１Ａ）が配置される方向のことであり、「第２の方向」とは、第２の要素（２Ａ）が配置される方向のことである。第１の実施の形態では、第１の方向と第２の方向は、同じ方向である。第１の実施の形態において、第１の要素（１Ａ）と第２の要素（２Ａ）の配置される方向は、第１の方向と第２の方向が同じであれば、図２に示す第１の要素（１Ａ）が配置される方向に限定されず、どの方向であっても良い。
【００５２】
また、第１の要素（１Ａ）は、画線又は複数の画素で構成され、本説明において、「画線」とは、直線、破線、波線等のことである。また、本説明において、「画素」とは、所定の形状を有する文字、数字、記号、図形、マーク等のことであり、画素の形状は、特に限定されるものではない。
【００５３】
第１の要素（１Ａ）が、画線で構成される場合、第１の方向に配置される画線により、第１の要素（１Ａ）が構成され、画線で構成される第１の要素（１Ａ）を第１のピッチ（Ｐ１）で規則的に複数配置して又は画線で構成される第１の要素（１Ａ）を異なるピッチで複数配置して、第１の模様（１）が形成される。
【００５４】
直線による画線で構成される第１の要素（１Ａ）が複数配置された第１の模様（１）の例を、図３（ａ）に示す。また、破線による画線で構成される第１の要素（１Ａ）が複数配置された第１の模様（１）の例を、図３（ｂ）に示す。また、波線による画線で構成される第１の要素（１Ａ）が複数配置された第１の模様（１）の例を、図３（ｃ）に示す。図３（ａ）〜（ｃ）に示す、画線の幅（Ｗ１）は、１２０μｍ〜３００μｍで形成され、第１のピッチ（Ｐ１）は、５００μｍ〜６００μｍで形成される。第１の要素（１Ａ）を第１のピッチ（Ｐ１）で規則的に複数配置して、第１の模様（１）が形成される場合は、図３（ａ）〜（ｃ）に示す第１のピッチ（Ｐ１）を前述した範囲で、かつ、一定のピッチで形成される。また、第１の要素（１Ａ）を異なるピッチで複数配置して、第１の模様（１）が形成される場合は、図３（ａ）〜（ｃ）に示す第１のピッチ（Ｐ１）を前述した範囲で、異ならせて形成される。この場合、第１の模様（１）全体にわたって第１のピッチ（Ｐ１）を前述した範囲で異ならせてもよいし、第１の模様（１）の一部の第１のピッチ（Ｐ１）を前述した範囲で異ならせてもよい。
【００５５】
第１の要素（１Ａ）が、画素で構成される場合、第１の方向に配置される画素を所定のピッチで複数配置して又は第１の方向に配置される画素を部分的に異なるピッチで複数配置して、第１の要素（１Ａ）が形成される。そして、画素で構成される第１の要素（１Ａ）を第１のピッチ（Ｐ１）で複数配置して又は画素で構成される第１の要素（１Ａ）を異なるピッチで複数配置して、第１の模様（１）が形成される。
【００５６】
文字による画素で構成される第１の要素（１Ａ）が、複数配置された第１の模様（１）の例を図４（ａ）に示す。また、数字による画素で構成される第１の要素（１Ａ）が複数配置された第１の模様（１）の例を図４（ｂ）に示す。また、記号による画素で構成される第１の要素（１Ａ）が複数配置された第１の模様（１）の例を図４（ｃ）に示す。また、図形による画素で構成される第１の要素（１Ａ）が複数配置された第１の模様（１）の例を図４（ｄ）に示す。また、マークによる画素で構成される第１の要素（１Ａ）が複数配置された第１の模様（１）の例を図４（ｅ）に示す。図４（ａ）〜（ｅ）に示す画素の幅（Ｘ１）及び画素の高さ（Ｗ１）は、１２０μｍ〜３００μｍで形成され、画素のピッチ（ｐ１）は、１５０μｍ〜３００μｍで形成され、第１の要素のピッチ（Ｐ１）は５００μｍ〜６００μｍで形成される。画素を所定のピッチで複数配置して、第１の要素（１Ａ）が形成される場合は、図４（ａ）〜（ｅ）に示す画素のピッチ（ｐ１）を前述した範囲で、かつ、一定のピッチで形成される。また、画素を部分的に異なるピッチで複数配置して、第１の要素（１Ａ）が形成される場合は、図４（ａ）〜（ｅ）に示す画素のピッチ（ｐ１）を前述した範囲で、部分的に異ならせて形成される。更に、第１の要素（１Ａ）を第１のピッチ（Ｐ１）で複数配置して、第１の模様（１）が形成される場合は、図４（ａ）〜（ｅ）に示す第１の要素のピッチ（Ｐ１）を前述した範囲で、かつ、一定のピッチで形成される。また、第１の要素（１Ａ）を異なるピッチで複数配置して、第１の模様（１）が形成される場合は、図４（ａ）〜（ｅ）に示す第１のピッチ（Ｐ１）を前述した範囲で、異ならせて形成される。この場合、第１の模様（１）全体にわたって第１のピッチ（Ｐ１）を前述した範囲で異ならせてもよいし、第１の模様（１）の一部の第１のピッチ（Ｐ１）を前述した範囲で異ならせてもよい。
【００５７】
以上のように、第１の要素（１Ａ）について説明したが、以降の説明では、第１の要素（１Ａ）が直線の画線で構成され、第１の要素（１Ａ）が第１のピッチ（Ｐ１）で規則的に複数配置される例で説明する。
【００５８】
第１の模様（１）に用いられる色材は、特に限定されるものではなく、一般的に使用されているプロセスのシアン、マゼンタ、イエロー、ブラックの少なくとも一つから成るインキを用いることができる。このとき、第１の模様（１）に用いられる色材は、前述のように、上層（６）を構成する基材及び下層（４）を構成する基材の色と異ならせて用いる。
【００５９】
第１の模様（１）の形成方法は、オフセット印刷、凹版印刷、スクリーン印刷、グラビア印刷、インクジェット印刷等の公知の印刷方法を用いることができるが、特に、凹版印刷又はスクリーン印刷によって第１の模様（１）を形成する場合、第１の模様（１）を構成する色材の厚さ、色が光透過性に影響するため、透過光によって観察するときの第１の模様（１）の視認性に応じて、第１の模様（１）を構成する色材の厚さ、色を調整する必要がある。
【００６０】
（光遮蔽層：材料）
光遮蔽層（５ａ）は、光遮蔽性の材料によって形成される。光遮蔽性の材料としては、潜像模様形成体（９）を下層側から透過光によって観察したとき、上層（６）に形成された第１の模様（１）が視認できない又は視認し難い状態を満足できれば、特に限定されるものではないが、好ましくは、金、銀、銅、アルミニウム、チタン等の金属材料を用いるのがよい。これは、仮に光遮蔽層（５ａ）を、前述するプロセスインキによって形成する場合は、光を遮蔽するために色材を厚くして形成する必要があるのに対して、前述する金属材料で形成する場合は、金属材料自体の光遮蔽効果が高いため光遮蔽層（５ａ）の厚さが限定されない、すなわち、潜像模様形成体（９）の厚さが光遮蔽層（５ａ）によって限定されないためである。そして、このような材料を含むインキに応じて、オフセット印刷、凹版印刷、スクリーン印刷、グラビア印刷、インクジェット印刷等の公知印刷方法によって印刷し、光遮蔽層（５ａ）を形成することができる。また、前述する金属材料をスパッタリング法のような公知の真空蒸着法により、下層（４）と上層（６）の間に形成して、光遮蔽層（５ａ）を形成することができる。また、前述する金属材料で成る箔を下層（４）と上層（６）の間に積層して、光遮蔽層（５ａ）を形成することもできる。
【００６１】
（第２の模様）
第２の模様（２）は、光遮蔽層（５ａ）の少なくとも一部に、第１の方向と同じ第２の方向に配置された複数の第２の要素（２Ａ）によって形成されて成る。なお、第２の模様（２）は、第２の要素（２Ａ）を第２のピッチ（Ｐ２）で規則的に複数配置又は第２の要素（２Ａ）を異なるピッチで複数配置のいずれかで形成してもよい。また、第２の模様（２）が、第２の要素（２Ａ）を第２のピッチ（Ｐ２）で規則的に複数配置して形成される場合、第２のピッチ（Ｐ２）は、第１のピッチ（Ｐ１）と同じピッチでもよいし、第１のピッチ（Ｐ１）と異なるピッチでもよい。
【００６２】
第２の要素（２Ａ）は、第１の要素（１Ａ）と同様に画線又は複数の画素で構成され、「画線」とは、直線、破線、波線等のことであり、「画素」とは、所定の形状を有する文字、数字、記号、図形、マーク等のことであり、画素の形状は、特に限定されるものではない。
【００６３】
第２の要素（２Ａ）は、第１の要素（１Ａ）と異なる画線又は画素で形成してもよい。
【００６４】
第２の要素（２Ａ）が、画線で構成される場合、第２の要素（２Ａ）は、図３に示す第１の要素（１Ａ）の構成と同様であり、第２の要素（２Ａ）を構成する画線の幅（Ｗ２）は、第１の要素（１Ａ）を構成する画線の幅（Ｗ１）の範囲と同じであり、第２の要素のピッチ（Ｐ２）は、第１の要素のピッチ（Ｐ１）の範囲と同じであるため説明を省略する。また、第２の要素（２Ａ）が、画素で構成される場合、第２の要素（２Ａ）は、図４に示す第１の要素（１Ａ）の構成と同様であり、第２の要素（２Ａ）を構成する画素の幅（Ｘ２）は、第１の要素（１Ａ）を構成する画素の幅（Ｘ１）の範囲と同じであり、第２の要素（２Ａ）を構成する画素の高さ（Ｗ２）は、第１の要素（１Ａ）を構成する画素の高さ（Ｗ１）の範囲と同じであり、第２の要素のピッチ（Ｐ２）は、第１の要素のピッチ（Ｐ１）の範囲と同じであるため説明を省略する。また、第２の要素（２Ａ）を第２のピッチ（Ｐ２）で規則的に複数配置して形成される第２の模様（２）又は第２の要素（２Ａ）を異なるピッチで複数配置して形成される第２の模様（２）の構成についても第１の模様（１）の構成と同様であるため説明を省略する。
【００６５】
以上のように、第２の要素（２Ａ）について説明したが、以降の説明では、第２の要素（２Ａ）が直線の画線で構成され、第２の要素（２Ａ）が第２のピッチ（Ｐ２）で規則的に複数配置される例で説明する。また、第２の要素のピッチ（Ｐ２）が第１の要素のピッチ（Ｐ１）と同じピッチで形成される例で説明する。
【００６６】
第２の模様（２）は、規則的に複数配置された第２の要素（２Ａ）が、更に、図５に示すように、第２の要素（２Ａ）の位相を部分的に異ならせることにより、図６に示す潜像部（２ａ）と背景部（２ｂ）に区分けされるように形成され、又は図７に示すように、規則的に複数配置された第２の要素（２Ａ）の幅の一部を異ならせることにより、図８に示す潜像部（２ａ）と背景部（２ｂ）に区分けされるように形成される。
【００６７】
規則的に複数配置された第２の要素（２Ａ）の位相を部分的に異ならせる構成で、第２の模様（２）が形成される場合、潜像部（２ａ）を構成する第２の要素（２Ａ）は、背景部（２ｂ）を構成する要素（２Ａ）に対して、以下に示す式１の範囲で位相を異ならせて形成される。
【００６８】
第２のピッチ（Ｐ２）− 画線の幅（Ｗ２）  ．．．式１
【００６９】
図５に示す、潜像部（２ａ）と背景部（２ｂ）を構成する第２の要素（２Ａ）を接続する部分の角度（θ）は、特に限定されるものではない。
【００７０】
また、潜像部（２ａ）と背景部（２ｂ）を構成する第２の要素（２Ａ）は、図９に示すように、繋がっていなくてもよい。
【００７１】
また、規則的に複数配置された第２の要素（２Ａ）の幅の一部を異ならせる構成で、第２の模様（２）が形成される場合、図７の拡大図に示すように、潜像部（２ａ）を構成する画線の幅（Ｗ２ａ）が、背景部（２ｂ）を構成する画線の幅（Ｗ２）より大きく形成されてもよいし、図１０の拡大図に示すように、潜像部（２ａ）を構成する画線の幅（Ｗ２ａ）が、背景部（２ｂ）を構成する画線の幅（Ｗ２）より小さく形成されてもよい。
【００７２】
第１の要素（１Ａ）の画線の幅（Ｗ１）と第２の要素（２Ａ）の画線の幅（Ｗ２）は、図１１（ａ）及び図１１（ｂ）に示すように、第１の要素（１Ａ）の画線の幅（Ｗ１）が、第２の要素（２Ａ）の画線の幅（Ｗ２）と同じ大きさで形成、図１１（ｃ）及び図１１（ｄ）に示すように、第１の要素（１Ａ）の画線の幅（Ｗ１）が、第２の要素（２Ａ）の画線の幅（Ｗ２）より小さく形成又は図１１（ｅ）及び図１１（ｆ）に示すように、第１の要素（１Ａ）の画線の幅（Ｗ１）が、第２の要素（２Ａ）の画線の幅（Ｗ２）より大きく形成される構成のいずれでもよい。
【００７３】
以上のように、第２の模様（２）について説明したが、以降の説明では、第２の模様（２）に、規則的に複数配置された第２の要素（２Ａ）の位相を部分的に異ならせて潜像部（２ａ）が形成される例で説明する。また、第２の要素（２Ａ）を構成する画線の幅（Ｗ２）は、第２のピッチ（Ｐ２）に対して１／２の大きさであり、潜像部（２ａ）を構成する第２の要素（２Ａ）が、背景部（２ｂ）を構成する第２の要素（２Ａ）に対して第２のピッチ（Ｐ２）の１／２ピッチ分位相をずらして形成される例で説明する。また、第２の要素（２Ａ）を構成する画線の幅（Ｗ２）が第１の要素（１Ａ）を構成する画線の幅（Ｗ１）と同じ大きさで形成される例で説明する。
【００７４】
続いて、潜像部（２ａ）と背景部（２ｂ）について説明する。本説明において、「潜像部」とは、規則的に配置された第２の要素（２Ａ）の位相を部分的に異ならせる又は幅の一部を異ならせることによって現される潜像の図柄の部分であり、「背景部」とは、潜像の図柄に対して背景となる部分である。つまり、図５に示す第２の模様（２）の潜像部（２ａ）及び背景部（２ｂ）は、図６に示すとおりであり、図７に示す第２の模様（２）の潜像部（２ａ）及び背景部（２ｂ）は、図８に示すとおりである。
【００７５】
潜像部（２ａ）は、図１２（ａ）に示すように、第１の模様（１）よりも小さく形成するのが好ましい。これは、図１２（ｂ）に示すように、潜像部（２ａ）が第１の模様（１）より大きく形成されると潜像の図柄全体が観察できないためである。好ましくは、潜像部（２ａ）を含む第２の模様（２）は、図１２（ｃ）に示すように、第１の模様（１）と略等しいか、図１２（ｄ）に示すように、第１の模様（１）よりも小さく形成するのがよい。これは、前述のように、潜像部（２ａ）が第１の模様（１）より小さく形成されれば、潜像の図柄全体が観察できるが、図１２（ａ）に示すように、背景部（２ｂ）の上に第１の模様（１）が形成されていない部分が生じると、透過光によって観察するとき、背景部（２ｂ）の上に第１の模様（１）が形成される部分と第１の模様（１）が形成されない部分で、異なった背景のように観察されるからである。
【００７６】
第２の模様（２）を形成する方法について説明する。光遮蔽層（５ａ）が、前述する光遮蔽性のインキで形成される場合、光遮蔽層（５ａ）を積層する際に、前述する光遮蔽性のインキを用いてオフセット印刷、凹版印刷、スクリーン印刷、グラビア印刷、インクジェット印刷等の公知印刷方法によって、下層（４）と上層（６）の間に第２の模様（２）を形成すればよい。また、光遮蔽層（５ａ）が、前述する金属材料を真空蒸着して形成される場合は、遮蔽層（５ａ）を積層する際に、前述する金属材料を用いて公知の真空蒸着法によって、下層（４）と上層（６）の間に第２の模様（２）を形成すればよい。また、光遮蔽層（５ａ）が、前述する金属材料で成る箔で形成される場合は、公知のレーザ加工、ディメタライズ加工により、前述の箔に第２の模様（２）を形成すればよい。
【００７７】
第２の要素（２Ａ）によって現される潜像の図柄は、文字、数字、記号、図形、マーク等で形成されてよい。
【００７８】
（積層）
潜像模様形成体（９）は、下層（４）、上層（６）及び中間層（５）の各層間に接着剤（図示せず）を塗布し、接着して積層される。塗布される接着剤は、エポキシ系、アクリル系、ウレタン系、酢酸ビニル系のいずれの接着剤を用いてもよい。なお、光遮蔽層（５ａ）が前述する光遮蔽性のインキで形成される場合は、始めに、下層（４）の上に光遮蔽層（５ａ）を形成し、その上に接着剤を塗布して上層（６）を積層すればよい。
【００７９】
（第１の模様と第２の模様の配置）
第１の模様（１）と第２の模様（２）の配置について、図１３〜図１５を用いて説明する。なお、第１の模様（１）を構成する第１の要素（１Ａ）と第２の模様（２）を構成する第２の要素（２Ａ）の配置について説明するため、第２の模様（２）において、第２の要素（２Ａ）が形成されない部分を「第２の模様の非要素部」、第２の模様（２）の潜像部（２ａ）において、第２の要素（２Ａ）が形成されない部分を「潜像部の非要素部」、第２の模様（２）の背景部（２ｂ）において、第２の要素（２Ａ）が形成されない部分を「背景部の非要素部」として以降の説明を行う。第２の模様の非要素部（２Ａ’）、潜像部の非要素部（２ａ’）及び背景部の非要素部（２ｂ’）の例を図１４に示す。また、図１５は、第１の要素（１Ａ）と第２の要素（２Ａ）のみの配置で説明する。
【００８０】
以上の構成で形成される第１の模様（１）と第２の模様（２）は、図１３に示すように、第１の模様（１）が、潜像部（２ａ）の少なくとも一部に重なる配置で積層される。なお、本発明の潜像模様形成体（９）に形成される第１の模様（１）は、図１に示すにように、上層（６）の上に形成され、第１の模様（１）は潜像部（２ａ）の上に接するように形成されるものではない。実際は、図１３に示すように、第１の模様（１）と潜像部（２ａ）が向き合う位置で、上層（６）（図示せず）を隔てて配置される。このように、請求項記載の第１の模様（１）が潜像部（２ａ）に重なるという構成は、前述のように第１の模様（１）が潜像部（２ａ）に向き合う位置に上層（６）を隔てて配置されることを意味しており、請求項及び本明細書では、第１の模様（１）と潜像部（２ａ）の配置を説明するため、便宜上、「第１の模様が潜像部の少なくとも一部に重なる」と記載をしている。図１３（ａ）に示すように、潜像部（２ａ）が第１の模様（１）より大きく形成され、第１の模様（１）が潜像部（２ａ）の一部に重なる場合、第１の模様（１）が重なる部分だけ、潜像が観察される。また、図１３（ｂ）に示すように、潜像部（２ａ）が第１の模様（１）より小さく形成され、第１の模様（１）が潜像部（２ａ）の一部に重なる場合もまた、第１の模様（１）が重なる部分だけ、潜像が観察される。以上の配置の例では、潜像部（２ａ）の一部に第１の模様（１）が積層されるので、部分的に潜像の図柄を観察することができるが、好ましくは、図１３（ｃ）に示すように、潜像部（２ａ）が第１の模様（１）より小さく形成され、第１の模様（１）が潜像部（２ａ）全体を覆うように積層するのが良い。これは、潜像部（２ａ）全体に第１の模様（１）が重なる配置で積層されれば、透過光によって観察するとき、潜像の図柄全体を観察することができるからである。より好ましくは、図１３（ｄ）に示すように、潜像部（２ａ）を含む第２の模様（２）が、第１の模様（１）と略等しく形成され、第１の模様（１）が第２の模様（２）全体を覆うように積層する又は図１３（ｅ）に示すように、潜像部（２ａ）を含む第２の模様（２）が、第１の模様（１）より小さく形成され、第１の模様（１）が第２の模様（２）全体を覆うように積層するのが良い。この理由は、前述したように、透過光によって観察するとき、背景部（２ｂ）の上に第１の模様（１）が形成される部分と第１の模様（１）が形成されない部分で異なった背景のように観察されるからである。
【００８１】
さらに、第１の模様（１）と第２模様（２）は、次に説明する二つの配置のいずれかで積層することができる。一つ目の配置は、第１の模様（１）を構成する第１の要素（１Ａ）が、第２の模様（２）の潜像部（２ａ）を構成している第２の要素（２Ａ）に重なる又は背景部（２ｂ）を構成している第２の要素（２Ａ）に重なる配置である。なお、この一つ目の配置を「第１の配置」とし、本説明では、図１５（ａ）に示すように第１の模様（１）を構成する第１の要素（１Ａ）が第２の模様（２）の潜像部（２ａ）を構成している第２の要素（２Ａ）に重なる第１の配置について説明する。
【００８２】
二つ目の配置は、第１の模様（１）を構成する第１の要素（１Ａ）が、第２の模様（２）の潜像部（２ａ）を構成している第２の要素（２Ａ）及び背景部（２ｂ）を構成している第２の要素（２Ａ）にまたがるように重なる配置である。なお、この二つ目の配置を「第２の配置」とし、第２の配置を図１５（ｂ）に示す。
【００８３】
第２の模様（２）は、部分的に位相をずらして形成されているため、第１の配置のとき、図１５（ａ）に示すように第１の要素（１Ａ）は、第２の模様（２）の背景部の非要素部（２ｂ’）にも重なっている。
【００８４】
また、第２の配置のとき、図１５（ｂ）に示すように第１の要素（１Ａ）は、第２の模様（２）の潜像部の非要素部（２ａ’）及び背景部の非要素部（２ｂ’）にまたがるように重なっている。
【００８５】
次に、潜像模様形成体（９）を観察したときに得られる画像について図１６〜図１８を用いて説明する。なお、本発明の潜像模様形成体（９）を観察する環境は、太陽光や蛍光灯、白熱電球のような通常の照明の下である。なお、以降の説明において、潜像模様形成体（９）を観察する環境は、前述した環境と同様とする。
【００８６】
図１６（ａ）に示す潜像模様形成体（９）を上層側の正面から反射光によって観察する場合、図１６（ｂ）に示す第１の模様（１）が観察される。また、潜像模様形成体（９）を下層側の正面から反射光によって観察する場合、図１６（ｃ）に示す下層（４）を構成する基材の色が観察される。そして、潜像模様形成体（９）を上層側又は下層側から透過光によって観察すると、潜像（８）が観察される。
【００８７】
次に、潜像が観察される原理について説明する。本発明の潜像模様形成体（９）は、第２の模様（２）において、第２の要素（２Ａ）が形成される部分では光が透過せず、第２の模様の非要素（２Ａ’）、すなわち潜像部の非要素部（２ａ’）と背景部の非要素部（２ｂ’）では光が透過することを利用している。
【００８８】
図１５（ａ）に示した第１の配置の潜像模様形成体（８）を、上層側から透過光によって観察すると、第２の模様（２）の潜像部の非要素部（２ａ’）では、光が透過して周囲よりも明るく見える。また、第２の模様（２）の背景部の非要素部（２ｂ’）では、透過する光が第１の模様（１）を構成する色材を透過して第１の模様（１）の色材の色で観察される。また、透過光によって観察する場合であっても、前述した潜像模様形成体（９）を観察する環境では、詳細には、周囲の光が上層側にあたり、上層側の反射光である第１の模様（１）も観察される。その結果、図１７（ｂ）に示す潜像（８）が観察される。
【００８９】
一方、第１の配置の潜像模様形成体（９）を下層側から透過光によって観察すると、第２の模様（２）の潜像部の非要素部（２ａ’）では、光が透過して周囲よりも明るく見える。また、第２の模様（２）の背景部の非要素部（２ｂ’）では、第１の模様（１）を構成する色材の色が透過して第１の模様（１）の色材の色で観察される。その結果、図１７（ｃ）に示す潜像（８）が観察される。
【００９０】
なお、前述する潜像模様形成体（９）を上層側から透過光によって観察した場合に観察される潜像（８）と下層側から透過光によって観察した場合に観察される潜像（８）は、実際に、階調が反転するものではないが、観察する面を変えることによって、潜像部（２ａ）及び／又は背景部（２ｂ）の色が変化して階調が反転したように観察されることから、本説明では、このように観察される潜像（８）を「ポジ状態の潜像」と「ネガ状態の潜像」とし、さらに、上層側から観察される潜像（８）をポジ状態の潜像、下層側から観察される潜像（８）をネガ状態の潜像として説明する。以降の説明も同様とする。
【００９１】
前述した原理によって、図１５（ｂ）に示した第２の配置の潜像模様形成体（９）を上層側から透過光によって観察すると、図１８（ｂ）に示すネガ状態の潜像（８）が観察され、下層側から透過光によって観察すると、図１８（ｃ）に示すポジ状態の潜像（８）が観察される。
【００９２】
本説明では、前述した第１の模様（１）が、第１の要素（１Ａ）を異なるピッチで複数配置して形成される場合、第２の模様が、第２の要素（２Ａ）を異なるピッチで複数配置して形成される場合、潜像部（２ａ）が第２の要素（２Ａ）の幅の一部を異ならせることによって形成される場合、第１の要素（１Ａ）を構成する画線の幅（Ｗ１）と第２の要素（２Ａ）を構成する画線の幅（Ｗ２）が異なる場合等の形態で、透過光によって観察される画像の説明については省略したが、それぞれの形態においても、第１の模様（１）が第２の模様（２）に重なる配置は、部分的に第１の配置及び／又は第２の配置となるため、透過光によって観察すると潜像（８）を観察することができる。
【００９３】
（第２の実施の形態）
第２の実施の形態は、積層体の一方の面に第１の模様が形成され、他方の面に第３の模様が形成される潜像模様形成体である。また、第１の模様（１）を構成する第１の要素（１Ａ）が配置される方向、第２の模様（２）を構成する第２の要素（２Ａ）が配置される方向及び第３の模様（３）を構成する第３の要素（３Ａ）が配置される方向が同じ方向である潜像模様形成体である。
【００９４】
本説明では、一方の面を上層側、他方の面を下層側とし、上層側に第１の模様が形成され、下層側に第３の模様が形成される構成で説明する。また、第２の実施の形態の潜像模様形成体に形成される第１の模様の構成は、第１の実施の形態と同様であるため説明を一部省略し、図２に示す第１の要素が直線の画線で構成され、第１の模様が第１の要素を第１のピッチで規則的に複数配置されて形成される構成で説明する。また、第２の実施の形態の潜像模様形成体に積層される中間層及び第２の模様の構成は、第１の実施の形態と同様であるため説明を一部省略し、図５に示す第２の要素が直線の画線で構成され、第２の模様が第２の要素を第２のピッチで規則的に複数配置されて形成される構成で説明する。また、第１のピッチと第２のピッチが等しい構成で説明する。また、上層と下層に用いられる基材、第１の模様を構成する色材及び第１の模様の形成方法についても第１の実施の形態と同様であるため説明を一部省略する。
【００９５】
第２の実施の形態について、図１９〜図２４を用いて説明する。また、第２の実施の形態の潜像模様形成体を観察したときに視認される画像を、図２５〜図２８を用いて説明する。
【００９６】
図１９は、第２の実施の形態の潜像模様形成体（９）の断面図である。図２０は、第３の模様（３）を示す図である。図２１（ａ）〜（ｅ）は、第１の要素（１Ａ）、第２の要素（２Ａ）及び第３の要素（３Ａ）の画線の幅の関係を示す図である。図２２（ａ）〜（ｄ）は、第２の模様（２）と第３の模様（３）の大きさの関係を示す図である。図２３（ａ）〜図２３（ｅ）は、第１の模様（１）、第２の模様（２）及び第３の模様（３）の積層状態を示す図である。図２４（ａ）〜（ｃ）は、第１の要素（１Ａ）、第２の要素（２Ａ）及び第３の要素（３Ａ）の配置を示す図である。図２５（ａ）は、潜像模様形成体（９）の斜視図であり、図２５（ｂ）及び図２５（ｃ）は、第１の配置の潜像模様形成体（９）を反射光により観察した場合に得られる画像を示す図である。図２６（ａ）は、潜像模様形成体（９）の斜視図であり、図２６（ｂ）及び図２６（ｃ）は、第１の配置の潜像模様形成体（９）を透過光により観察した場合に得られる画像を示す図である。図２７（ａ）は、潜像模様形成体（９）の斜視図であり、図２７（ｂ）及び図２７（ｃ）は、第２の配置の潜像模様形成体（９）を透過光により観察した場合に得られる画像を示す図である。図２８（ａ）は、潜像模様形成体（９）の斜視図であり、図２８（ｂ）及び図２８（ｃ）は、第３の配置の潜像模様形成体（９）を透過光により観察した場合に得られる画像を示す図である。
【００９７】
図１９に示す潜像模様形成体（９）は、下層（４）の上に中間層（５）が積層され、中間層（５）の上に上層（６）が積層されて成る。また、潜像模様形成体（９）の上層側に第１の模様（１）が形成され、下層側に第３の模様（３）が形成されて成る。また、中間層（５）は、光遮蔽層（５ａ）によって構成され、光遮蔽層（５ａ）は、第２の模様（２）が形成されて成る。
【００９８】
（第３の模様：構成）
図２０に示す第３の模様（３）は、下層（４）の上の少なくとも一部に、第１の方向と同じ第３の方向に複数配置された第３の要素（３Ａ）によって形成されて成り、第３の模様（３）は、上層（６）を構成する基材及び下層（４）を構成する基材の色と異なる色の色材を用いて形成されて成る。第３の模様（３）を構成する色材は、第１の模様（１）を構成する色材の色と異なる色又は同じ色のいずれで形成してもよい。なお、第３の模様（３）は、第３の要素（３Ａ）を第３のピッチ（Ｐ３）での規則的な複数配置又は第３の要素（３Ａ）の異なるピッチによる複数配置のいずれで形成してもよい。また、第３の模様（３）が、第３の要素（３Ａ）を第３のピッチ（Ｐ３）で規則的に複数配置して形成される場合、第３のピッチ（Ｐ３）は、第１のピッチ（Ｐ１）と同じピッチでもよいし、第１のピッチ（Ｐ１）と異なるピッチでもよい。
【００９９】
なお、第２の実施の形態の説明において、「第１の方向」とは、第１の要素（１Ａ）が配置される方向のことであり、「第２の方向」とは、第２の要素（２Ａ）が配置される方向のことであり、「第３の方向」とは、第３の要素（３Ａ）が配置される方向のことである。第２の実施の形態では、第１の方向、第２の方向及び第３の方向は、同じ方向である。第２の実施の形態において、第１の要素（１Ａ）、第２の要素（２Ａ）及び第３の要素（３Ａ）が配置される方向は、第１の方向、第２の方向及び第３の方向が同じであれば、図２０に示す第３の要素（３Ａ）が配置される方向に限定されず、どの方向であっても良い。
【０１００】
また、第３の要素（３Ａ）は、第１の要素（１Ａ）と同様に画線又は複数の画素で構成され、本説明において、「画線」とは、直線、破線、波線のことである。また、本説明において、「画素」とは、所定の形状を有する文字、数字、記号、図形、マーク等のことであり、画素の形状は、特に限定されるものではない。
【０１０１】
第３の要素（３Ａ）は、第１の要素（１Ａ）及び第２の要素（２Ａ）と異なる画線又は画素で形成してもよい。
【０１０２】
第３の要素（３Ａ）が、画線で構成される場合、第３の要素（３Ａ）は、図３に示す第１の要素（１Ａ）の構成と同様であり、第３の要素（３Ａ）を構成する画線の幅（Ｗ３）は、第１の要素（１Ａ）を構成する画線の幅（Ｗ１）の範囲と同じであり、第３のピッチ（Ｐ３）は、第１のピッチ（Ｐ１）の範囲と同じであるため説明を省略する。また、第３の要素（３Ａ）が、画素で構成される場合、第３の要素（３Ａ）は、図４に示す第１の要素（１Ａ）の構成と同様であり、第３の要素（３Ａ）を構成する画素の幅（Ｘ３）は、第１の要素（１Ａ）を構成する画素の幅（Ｘ１）の範囲と同じであり、第３の要素（３Ａ）を構成する画素の高さ（Ｗ３）は、第１の要素（１Ａ）を構成する画素の高さ（Ｗ１）の範囲と同じであり、第３のピッチ（Ｐ３）は、第１のピッチ（Ｐ１）の範囲と同じであるため説明を省略する。また、第３の要素（３Ａ）を第３のピッチ（Ｐ３）で規則的に複数配置して形成される第３の模様（３）又は第３の要素（３Ａ）を異なるピッチで複数配置して形成される第３の模様（３）の構成についても第１の模様（１）の構成と同様であるため説明を省略する。
【０１０３】
以上のように、第３の要素（３Ａ）について説明したが、以降の説明では、第３の要素（３Ａ）が直線の画線で構成され、第３の要素（３Ａ）が第３のピッチ（Ｐ３）で規則的に複数配置される例で説明する。また、第３のピッチ（Ｐ３）が第１の要素のピッチ（Ｐ１）及び第２の要素のピッチ（Ｐ２）と同じピッチで形成される例で説明する。
【０１０４】
第３の要素（３Ａ）の画線の幅（Ｗ３）は、図２１（ａ）に示すように、第１の要素（１Ａ）の画線の幅（Ｗ１）及び第２の要素（２Ａ）の画線の幅（Ｗ２）と同じ大きさで形成される構成、図２１（ｂ）に示すように、第１の要素（１Ａ）の画線の幅（Ｗ１）及び第２の要素（２Ａ）の画線の幅（Ｗ２）より大きく形成される構成、図２１（ｃ）に示すように、第１の要素（１Ａ）の画線の幅（Ｗ１）及び第２の要素（２Ａ）の画線の幅（Ｗ２）より小さく形成される構成、図２１（ｄ）に示すように、第１の要素（１Ａ）の画線の幅（Ｗ１）より大きく、第２の要素（２Ａ）の画線の幅（Ｗ２）より小さく形成される構成、図２１（ｅ）に示すように、第１の要素（１Ａ）の画線の幅（Ｗ１）より小さく、第２の要素（２Ａ）の画線の幅（Ｗ２）より大きく形成される構成のいずれでもよい。
【０１０５】
以上のように、第３の模様（３）について説明したが、以降の説明では、第３の要素（３Ａ）を構成する画線の幅（Ｗ３）が第１の要素（１Ａ）を構成する画線の幅（Ｗ１）と第２の要素（２Ａ）を構成する画線の幅（Ｗ２）と同じ大きさで形成される例で説明する。
【０１０６】
第３の模様（３）は、図２２（ａ）に示すように、潜像部（２ａ）よりも大きく形成するのが好ましい。これは、図２２（ｂ）に示すように、第３の模様（３）が潜像部（２ａ）より小さく形成されると潜像の図柄全体が観察できないためである。好ましくは、第３の模様（３）は、図２２（ｃ）に示すように、第２の模様（２）と略等しいか、図２２（ｄ）に示すように、第２の模様（２）よりも大きく形成するのがよい。これは、前述した第１の模様（１）と第２の模様（２）の関係と同様に、潜像部（２ａ）が第３の模様（３）より小さく形成されれば、潜像の図柄全体が観察できるが、図２２（ａ）に示すように、背景部（２ｂ）の上に第３の模様（３）が形成されていない部分が生じると、透過光によって観察するとき、背景部（２ｂ）の上に第３の模様（３）が形成される部分と第３の模様（３）が形成されない部分で、異なった背景のように観察されるからである。
【０１０７】
第３の模様（３）に用いられる色材は、特に限定されるものではなく、一般的に使用されているプロセスのシアン、マゼンタ、イエロー、ブラックの少なくとも一つから成るインキを用いることができる。
【０１０８】
第３の模様（３）の形成方法は、オフセット印刷、凹版印刷、スクリーン印刷、グラビア印刷、インクジェット印刷等の公知の印刷方法を用いることができるが、特に、凹版印刷又はスクリーン印刷によって第３の模様（３）を形成する場合、第３の模様（３）を構成する色材の厚さ、色が光透過性に影響するため、透過光によって観察するときの第３の模様（３）の視認性に応じて、第３の模様（３）を構成する色材の厚さ、色を調整する必要がある。
【０１０９】
（第１の模様、第２の模様及び第３の模様の配置）
第１の模様（１）、第２の模様（２）及び第３の模様（３）の配置について、図２３及び図２４を用いて説明する。なお、図２４は、第１の要素（１Ａ）、第２の要素（２Ａ）及び第３の要素（３Ａ）のみの配置で説明する。
【０１１０】
以上の構成で形成される第１の模様（１）と第３の模様（３）は、図２３に示すように、第１の模様（１）と第３の模様（３）が、潜像部（２ａ）の少なくとも一部に重なる配置で積層される。「第３の模様（３）が潜像部（２ａ）の少なくとも一部に重なる」という構成についても、第１の模様（１）が潜像部（２ａ）に重なる配置と同様に、第３の模様（３）が潜像部（２ａ）の上に接するように形成されるのではなく、実際は、図１９及び図２３に示すように、第３の模様（３）と潜像部（２ａ）が向き合う位置で、下層（４）を隔てて配置される。請求項及び本明細書では、第３の模様（３）と潜像部（２ａ）の配置を説明するため、便宜上、「第３の模様が潜像部の少なくとも一部に重なる」と記載をしている。図２３（ａ）に示すように、潜像部（２ａ）が第１の模様（１）と第３の模様（３）より大きく形成され、第１の模様（１）と第３の模様（３）が潜像部（２ａ）の一部に重なる場合、第１の模様（１）と第３の模様（３）が重なる部分だけ、潜像が観察される。また、図２３（ｂ）に示すように、潜像部（２ａ）が第１の模様（１）と第３の模様（３）より小さく形成され、第１の模様（１）と第３の模様（３）が潜像部（２ａ）の一部に重なる場合もまた、第１の模様（１）が重なる部分だけ、潜像が観察される。以上の配置の例では、潜像部（２ａ）の一部に第１の模様（１）と第３の模様（３）が積層されるので、部分的に潜像の図柄を観察することができるが、好ましくは、図２３（ｃ）に示すように、潜像部（２ａ）が第１の模様（１）と第３の模様（３）より小さく形成され、第１の模様（１）と第３の模様（３）が潜像部（２ａ）全体を覆うように積層するのが良い。これは、潜像部（２ａ）全体に第１の模様（１）と第３の模様（３）が重なる配置で積層されれば、透過光によって観察するとき、潜像の図柄全体を観察することができるからである。より好ましくは、図２３（ｄ）に示すように、潜像部（２ａ）を含む第２の模様（２）が、第１の模様（１）と第３の模様（３）と略等しく形成され、第１の模様（１）と第３の模様（３）が第２の模様（２）全体を覆うように積層する又は図２３（ｅ）に示すように、潜像部（２ａ）を含む第２の模様（２）が、第１の模様（１）と第３の模様（３）より小さく形成され、第１の模様（１）と第３の模様（３）が第２の模様（２）全体を覆うように積層するのが良い。この理由は、前述したように、透過光によって観察するとき、背景部（２ｂ）の上に第１の模様（１）と第３の模様（３）が形成される部分と第１の模様（１）と第３の模様（３）が形成されない部分で異なった背景のように観察されるからである。
【０１１１】
さらに、第１の模様（１）、第２の模様（２）及び第３の模様（３）は、次に説明する三つの配置のいずれかで積層することができる。一つ目の配置は、第１の模様（１）を構成する第１の要素（１Ａ）が第２の模様（２）の潜像部（２ａ）を構成している第２の要素（２Ａ）に重なり、第３の模様（３）を構成する第３の要素（３Ａ）が第２の模様（２）の背景部（２ｂ）を構成している第２の要素（２Ａ）に重なる配置又は第１の模様（１）を構成する第１の要素（１Ａ）が第２の模様（２）の背景部（２ｂ）を構成している第２の要素（２Ａ）に重なり、第３の模様（３）を構成している第３の要素（３Ａ）が第２の模様（２）の潜像部（２ａ）を構成している第２の要素（２Ａ）に重なる配置である。なお、この一つ目の配置を「第１の配置」とし、本説明では、図２４（ａ）に示すように第１の模様（１）を構成する第１の要素（１Ａ）が第２の模様（２）の潜像部（２ａ）を構成している第２の要素（２Ａ）に重なり、第３の模様（３）を構成する第３の要素（３Ａ）が、第２の模様（２）の背景部（２ｂ）を構成している第２の要素（２Ａ）に重なる第１の配置について説明する。
【０１１２】
二つ目の配置は、第１の模様（１）を構成する第１の要素（１Ａ）と第３の模様（３）を構成する第３の要素（３Ａ）の両方が、第２の模様（２）の潜像部（２ａ）を構成している第２の要素（２Ａ）又は第２の模様（２）の背景部（２ｂ）を構成している第２の要素（２Ａ）に重なり、いずれか一方が第２の模様（２）の潜像部（２ａ）を構成している第２の要素（２Ａ）又は第２の模様（２）の背景部（２ｂ）を構成している第２の要素（２Ａ）に重なる配置である。なお、この二つ目の配置を「第２の配置」とし、本説明では、図２４（ｂ）に示すように、第１の模様（１）を構成する第１の要素（１Ａ）と第３の模様（３）を構成する第３の要素（３Ａ）の両方が、第２の模様（２）の潜像部（２ａ）を構成している第２の要素（２Ａ）に重なり、第３の模様（３）を構成している第３の要素（３Ａ）が、第２の模様（２）の背景部（２ｂ）を構成している第２の要素（２Ａ）に重なる第２の配置について説明する。
【０１１３】
三つ目の配置は、第１の模様（１）を構成する第１の要素（１Ａ）が、第２の模様（２）の潜像部（２ａ）を構成している第２の要素（２Ａ）及び潜像部の非要素部（２ａ’）にまたがるように重なり、第３の模様（３）を構成する第３の要素（３Ａ）が、第２の模様（２）の潜像部（２ａ）を構成している第２の要素（２Ａ）及び潜像部の非要素部（２ａ’）にまたがるように重なる配置である。なお、この三つ目の配置を「第３の配置」とし、本説明では、図２４（ｃ）に示すように、第１の模様（１）を構成する第１の要素（１Ａ）と第３の模様（３）を構成する第３の要素（３Ａ）が、第２の模様（２）の潜像部（２ａ）を構成している第２の要素（２Ａ）及び潜像部の非要素部（２ａ’）にまたがるように重なる第３の配置で、第１の要素（１Ａ）と第３の要素（３Ａ）の位相がずれて形成される構成で説明する。
【０１１４】
第２の模様（２）は、部分的に位相をずらして形成されているため、前述のように、第３の要素（３Ａ）が、第２の模様（２）の潜像部（２ａ）を構成する第２の要素（２Ａ）に重なるとき、第３の要素（３Ａ）は、第２の模様（２）の背景部の非要素部（２ｂ’）にも重なる。また、第３の要素（３Ａ）が、第２の模様（２）の背景部（２ｂ）を構成する第２の要素（２Ａ）に重なるとき、第３の要素（３Ａ）は、第２の模様（２）の潜像部の非要素部（２ａ’）にも重なる。また、第３の要素（３Ａ）が、第２の模様（２）の潜像部（２ａ）を構成している第２の要素（２Ａ）及び潜像部の非要素部（２ａ’）にまたがるように重なるとき、第３の要素（３Ａ）は、第２の模様（２）の背景部（２ｂ）を構成する第２の要素（２Ａ）及び背景部の非要素部（２ｂ’）にまたがるように重なる。
【０１１５】
（観察画像）
潜像模様形成体（９）を観察したときに得られる画像について図２５〜図２８を用いて説明する。
【０１１６】
図２５（ａ）に示す潜像模様形成体（９）を上層側の正面から反射光によって観察する場合、図２５（ｂ）に示す第１の模様（１）が観察される。また、図２５（ａ）に示す潜像模様形成体（９）を下層側の正面から反射光によって観察する場合、図２５（ｃ）に示す第３の模様（３）が観察される。そして、潜像模様形成体（９）を上層側又は下層側から透過光によって観察すると、図２６〜図２８に示す潜像（８）が観察される。
【０１１７】
第２の実施の形態においても、潜像が観察される原理は、第１の実施の形態と同様であり、第２の模様（２）において、第２の要素（２Ａ）が形成される部分では光が透過せず、第２の模様の非要素（２Ａ’）、すなわち潜像部の非要素部（２ａ’）と背景部の非要素部（２ｂ’）では光が透過することを利用している。
【０１１８】
次に、第１の配置、第２の配置及び第３の配置の潜像模様形成体（９）を透過光によって観察される潜像（８）についてそれぞれ説明する。
【０１１９】
図２４（ａ）に示した第１の配置の潜像模様形成体（１）を上層側から透過光によって観察すると、第２の模様（２）の潜像部の非要素部（２ａ’）では、透過する光が第３の模様（３）を構成する色材を透過して第３の模様（３）を構成する色材の色で観察される。また、第２の模様（２）の背景部の非要素部（２ｂ’）では、透過する光が第１の模様（１）を構成する色材を透過して第１の模様（１）を構成する色材の色で観察される。また、周囲の光が上層側にあたり、上層側の反射光である第１の模様（１）も観察される。その結果、図２６（ｂ）に示すポジ状態の潜像（８）が観察される。
【０１２０】
一方、第１の配置の潜像模様形成体（９）を下層側から透過光によって観察すると、第２の模様（２）の背景部の非要素部（２ｂ’）では、透過する光が第１の模様（１）を構成する色材を透過して第１の模様（１）を構成する色材の色で観察される。また、第２の模様（２）の潜像部の非要素部（２ａ’）では、透過する光が第３の模様（３）を構成する色材を透過して第３の模様（３）を構成する色材の色で観察される。また、周囲の光が下層側にあたり、下層側の反射光である第３の模様（３）も観察される。その結果、図２６（ｃ）に示すネガ状態の潜像（８）が観察される。
【０１２１】
図２４（ｂ）に示した第２の配置の潜像模様形成体（９）を上層側から透過光によって観察すると、第２の模様（２）の潜像部の非要素部（２ａ’）において、潜像部の非要素部（２ａ’）に第３の要素（３Ａ）が重なっていない領域では、透過する光が下層（４）と上層（６）を透過して周囲よりも明るく見え、潜像部の非要素部（２ａ’）に第３の要素（３Ａ）が重なっている領域では、透過する光が第３の模様（３）を構成する色材を透過して第３の模様（３）を構成する色材の色で観察される。また、第２の模様（２）の背景部の非要素部（２ｂ’）において、背景部の非要素部（２ｂ’）に第１の要素（１Ａ）と第３の要素（３Ａ）が重なっている領域では、透過する光が第１の模様（１）を構成する色材と第３の模様（３）を構成する色材を透過し、第１の模様（１）を構成する色材の色と第３の模様（３）を構成する色材の色が合成された色となる。また、第２の模様（２）の背景部の非要素部（２ｂ’）において、背景部の非要素部（２ｂ’）に第１の要素（１Ａ）のみが重なっている領域では、透過する光が第１の模様（１）を構成する色材を透過して、第１の模様（１）を構成する色材の色で観察される。また、前述した潜像模様形成体（９）を観察する環境では、周囲の光が上層側にあたり、上層側の反射光である第１の模様（１）も観察される。このように、第２の配置の潜像模様形成体（９）を上層側から透過光によって観察すると、背景部の非要素部（２ｂ’）では、透過光によって、第１の模様（１）を構成する色材の色と第３の模様（３）を構成する色材の色が合成されて観察される領域が生じるが、上層側の反射光による第１の模様（１）の視認性が強いため、第３の模様（３）を構成する色材の色は視認され難い。その結果、図２７（ｂ）に示すポジ状態の潜像（８）が観察される。
【０１２２】
一方、第２の配置の潜像模様形成体（９）を下層側から透過光によって観察すると、第２の模様（２）の潜像部の非要素部（２ａ’）において、潜像部の非要素部（２ａ’）に第３の要素（３Ａ）が重なっていない領域では、透過する光が下層（４）と上層（６）を透過して周囲よりも明るく見え、潜像部の非要素部（２ａ’）に第３の要素（３Ａ）が重なっている領域では、透過する光が第３の模様（３）を構成する色材を透過して第３の模様（３）の色材の色で観察される。また、第２の模様（２）の背景部の非要素部（２ｂ’）において、背景部の非要素部（２ｂ’）に第１の要素（１Ａ）と第３の要素（３Ａ）が重なっている領域では、透過する光が第１の模様（１）を構成する色材と第３の模様（３）を構成する色材を透過し、第１の模様（１）を構成する色材の色と第３の模様（３）を構成する色材の色が合成された色となる。また、第２の模様（２）の背景部の非要素部（２ｂ’）において、背景部の非要素部（２ｂ’）に第１の要素（１Ａ）のみが重なっている領域では、透過する光が第１の模様（１）を構成する色材を透過して、第１の模様（１）を構成する色材の色で観察される。また、周囲の光が下層側にあたり、下層側の反射光である第３の模様（３）も観察される。このように、第２の配置の潜像模様形成体（９）を下層側から透過光によって観察すると、背景部の非要素部（２ｂ’）では、透過光によって、第１の模様（１）を構成する色材の色と第３の模様（３）を構成する色材の色が合成されて観察される領域が生じるが、下層側の反射光による第３の模様（３）の視認性が強いため、第１の模様（１）を構成する色材の色は視認され難い。その結果、図２７（ｃ）に示すネガ状態の潜像（８）が観察される。
【０１２３】
前述した原理によって、図２４（ｃ）に示すように第３の配置の潜像模様形成体（９）を上層側から透過光によって観察すると、図２８（ｂ）に示すポジ状態の潜像（８）が観察され、下層側から透過光によって観察すると、図２８（ｃ）に示すネガ状態の潜像（８）が観察される。
【０１２４】
このように、第２の実施の形態の潜像模様形成体（９）を透過光によって観察すると、第１の模様（１）と第３の模様（３）を構成する色材の色による潜像（８）が観察される。
【０１２５】
本説明では、第１の模様（１）が、第１の要素（１Ａ）を異なるピッチで複数配置して形成される場合、第２の模様が、第２の要素（２Ａ）を異なるピッチで複数配置して形成される場合、第３の要素（３Ａ）を異なるピッチで複数配置して形成される場合、潜像部（２ａ）が第２の要素（２Ａ）の幅の一部を異ならせることによって形成される場合、第１の要素（１Ａ）を構成する画線の幅（Ｗ１）と第２の要素（２Ａ）を構成する画線の幅（Ｗ２）と第３の要素（３Ａ）を構成する画線の幅（Ｗ３）が異なる場合等の形態で、透過光によって観察される画像ついての説明は省略するが、それぞれの形態においても、第１の模様（１）と第３の模様（３）が第２の模様（２）に重なる配置は、部分的に第１の配置及び／又は第２の配置及び／又は第３の配置となるため、透過光によって観察すると潜像（８）を観察することができる。
【０１２６】
（第３の実施の形態）
第３の実施の形態は、第１の実施の形態の潜像模様形成体に対して、第１の模様を構成する第１の要素が第１の方向に形成され、第２の模様を構成する第２の要素が第２の方向に形成され、第１の方向と第２の方向が異なる潜像模様形成体である。
【０１２７】
なお、第３の実施の形態の潜像模様形成体に積層される中間層及び第２の模様の構成は、第１の実施の形態と同様であるため説明を一部省略し、図５に示す第２の要素が直線の画線で構成され、第２の模様が第２の要素を第２のピッチで規則的に複数配置されて形成される構成で説明する。また、第１の方向と第２の方向は、どちらを基準にして異ならせてもよいが、本説明では、第２の要素が配置される方向である第２の方向を基準として、第１の方向を異ならせる構成で説明する。また、上層と下層に用いられる基材、第１の模様を構成する色材及び第１の模様の形成方法についても第１の実施の形態と同様であるため説明を一部省略する。
【０１２８】
第３の実施の形態について、図２９〜３２を用いて説明する。また、第３の実施の形態の潜像模様形成体を観察したときに視認される画像を、図３３及び図３４を用いて説明する。
【０１２９】
図２９は、潜像模様形成体（９）の一方の面に形成される第１の模様（１）を示す図である。図２９では、第２の模様（２）を構成する第２の要素（２Ａ）が配置される方向をＸ−Ｘ線で示している。図３０（ａ）〜（ｃ）は、第１の模様（１）と第２の模様（２）の大きさの関係を示す図である。図３１（ａ）〜（ｃ）は、第１の模様（１）と第２の模様（２）の積層状態を示す図である。図３２は、第１の要素（１Ａ）と第２の要素（２Ａ）の配置を示す図である。図３３（ａ）は、潜像模様形成体（９）の斜視図であり、図３３（ｂ）及び図３３（ｃ）は、潜像模様形成体（９）を反射光により観察した場合に得られる画像を示す図である。図３４（ａ）は、潜像模様形成体（９）の斜視図であり、図３４（ｂ）及び図３４（ｃ）は、潜像模様形成体（９）を透過光により観察した場合に得られる画像を示す図である。
【０１３０】
（第１の模様：構成）
図２９に示す第１の模様（１）は、上層（６）の上の少なくとも一部に、第１の方向に配置された複数の第１の要素（１Ａ）によって形成されて成り、第１の要素（１Ａ）は、図２９の拡大図に示すように、第２の要素（２Ａ）が配置される方向を示すＸ−Ｘ線に対して、傾けて形成される。なお、第１の模様（１）は、第１の要素（１Ａ）を第１のピッチ（Ｐ１）での規則的な複数配置又は第１の要素（１Ａ）の異なるピッチによる複数配置のいずれで形成してもよい。
【０１３１】
このように、第３の実施の形態において、「第１の方向」とは、第１の要素（１Ａ）が配置される方向のことであり、かつ、第１の方向は、第２の要素（２Ａ）が配置される第２の方向と異なる方向である。また、「第２の方向」とは、第２の要素（２Ａ）が配置される方向のことであり、かつ、第２の方向は、第１の方向と異なる方向である。第３の実施の形態において、第１の要素（１Ａ）と第２の要素（２Ａ）が配置される方向は、第１の方向と第２の方向が異なる方向であれば、図２９に示す第１の要素（１Ａ）が配置される方向及び第２の方向を示すＸ−Ｘ線に限定されず、どの方向であっても良い。
【０１３２】
第１の要素と第２の要素の傾斜角（α）は、±１度から±１０度の範囲で形成される。第１の要素と第２の要素の傾斜角（α）の好ましい範囲は、±１度から±５度である。これは、第１の要素と第２の要素の傾斜角（α）が小さい方が、潜像の図柄を視認しやすいためである。
【０１３３】
また、第１の要素（１Ａ）は、画線又は複数の画素で構成される。画線及び画素の構成については、前述したとおりである。第１の要素（１Ａ）が、画線で構成される場合、第３の実施の形態の第１の要素（１Ａ）は、図３に示す第１の要素（１Ａ）が、図２９に示すように、第２の方向を示すＸ−Ｘ線に対して傾けて形成される（図示せず）。また、第１の要素（１Ａ）が、画素で構成される場合、第３の実施の形態の第１の要素（１Ａ）は、図４に示す第１の要素（１Ａ）が、図２９に示すように、第２の方向を示すＸ−Ｘ線に対して傾けて形成される（図示せず）。
【０１３４】
以上のように、第１の要素（１Ａ）について説明したが、以降の説明では、第１の要素（１Ａ）が直線の画線で構成され、第１の要素（１Ａ）が第１のピッチ（Ｐ１）で複数配置される例で説明する。また、第１のピッチ（Ｐ１）が第２のピッチ（Ｐ２）と同じピッチで形成される例で説明する。
【０１３５】
第１の模様（１）は、図３０（ａ）に示すように、第２の模様（２）の潜像部（２ａ）より大きく形成するのが好ましい。より、好ましくは、第１の模様（１）は、図３０（ｂ）に示すように、第２の模様（２）と略等しいか、図３０（ｃ）に示すように、第２の模様（２）よりも大きく形成するのがよい。これら理由は、第１の実施の形態で説明したとおりである。
【０１３６】
（第１の模様と第２の模様の配置）
第１の模様（１）と第２の模様（２）の配置について、図３１及び図３２を用いて説明する。なお、図３２は、第１の要素（１Ａ）と第２の要素（２Ａ）のみの配置で説明する。
【０１３７】
以上の構成で形成される第１の模様（１）は、図３１（ａ）に示すように、第２の模様（２）を構成する潜像部（２ａ）全体に重なる配置で積層されるのが好ましい。より好ましくは、図３１（ｂ）に示すように、第１の模様（１）が潜像部（２ａ）を含む第２の模様（２）と略等しく形成され、第１の模様（１）が第２の模様（２）全体を覆うように積層するか又は図３１（ｃ）に示すように、第１の模様（１）が潜像部（２ａ）を含む第２の模様（２）より大きく形成され、第１の模様（１）が第２の模様（２）全体を覆うように積層するのが良い。これら理由は、第１の実施の形態で説明したとおりである。
【０１３８】
第１の模様（１）を構成する第１の要素（１Ａ）は、第２の模様（２）を構成する第２の要素（２Ａ）に対して傾けて形成されているため、図３２に示すように、第１の模様（１）を構成する第１の要素（１Ａ）は、第２の模様（２）の潜像部（２ａ）を構成する第２の要素（２Ａ）、潜像部の非要素部（２ａ’）、第２の模様（２）の背景部（２ｂ）を構成する第２の要素（２Ａ）及び背景部の非要素部（２ｂ’）に部分的に重なる。
【０１３９】
（観察画像）
次に、潜像模様形成体（９）を観察したときに得られる画像について図３３及び図３４を用いて説明する。
【０１４０】
図３３（ａ）に示す潜像模様形成体（９）を上層側の正面から反射光によって観察する場合、図３３（ｂ）に示す第１の模様（１）が観察される。また、潜像模様形成体（９）を下層側の正面から反射光によって観察する場合、図３３（ｃ）に示す下層（４）を構成する基材の色が観察される。そして、潜像模様形成体（９）を上層側又は下層側から透過光によって観察すると、潜像（８）が観察される。
【０１４１】
第３の実施の形態の潜像模様形成体（９）を上層側から透過光によって観察すると図３４（ｂ）に示すようにグラデーションのかかったポジ状態の潜像（８）が観察される。潜像（８）が観察される原理については、前述のとおりであり、第３の実施の形態では、第１の模様（１）を構成する第１の要素（１Ａ）を、第２の模様（２）を構成する第２の要素（２Ａ）に対して傾けることによって、第１の要素（１Ａ）と第２の要素（２Ａ）の重なる部分が変化するため、グラデーションがかかったように観察される。同様に、第３の実施の形態の潜像模様形成体（９）を下層側から透過光によって観察すると図３４（ｃ）に示すようにグラデーションのかかったネガ状態の潜像（８）が観察される。
【０１４２】
第３の実施の形態の潜像模様形成体（９）は、第１の模様（１）と第２の模様（２）の積層する位置を調整する必要がないため、容易に、本発明の効果を有する潜像模様形成体（９）を作製することができる。
【０１４３】
本説明では、第１の模様（１）が、第１の要素（１Ａ）を異なるピッチで複数配置して形成される場合、第２の模様が、第２の要素（２Ａ）を異なるピッチで複数配置して形成される場合、潜像部（２ａ）が第２の要素（２Ａ）の幅の一部を異ならせることによって形成される場合、第１の要素（１Ａ）を構成する画線の幅（Ｗ１）と第２の要素（２Ａ）を構成する画線の幅（Ｗ２）が異なる場合等の形態で、透過光によって観察される画像ついての説明は省略するが、それぞれの形態においても、第１の模様（１）を構成する第１の要素（１Ａ）が、第２の模様（２）の潜像部（２ａ）を構成する第２の要素（２Ａ）、潜像部の非要素部（２ａ’）、第２の模様（２）の背景部（２ｂ）を構成する第２の要素（２Ａ）及び背景部の非要素部（２ｂ’）に部分的に重なるため、透過光によって観察するとグラデーションのかかった潜像（８）を観察することができる。
【０１４４】
（第４の実施の形態）
第４の実施の形態は、第２の実施の形態の潜像模様形成体に対して、第１の模様を構成する第１の要素が第１の方向に形成され、第２の模様を構成する第２の要素が第２の方向に形成され、第３の模様を構成する第３の要素が第３の方向に形成され、第１の方向、第２の方向及び第３の方向のうち、少なくとも一つの方向が、残りの方向の少なくとも一つと異なる方向に形成される潜像模様形成体である。  
【０１４５】
本説明では、第４の実施の形態の潜像模様形成体に積層される中間層及び第２の模様の構成は、第１の実施の形態と同様であるため、説明を一部省略し、第２の要素が直線の画線で構成され、第２の模様が第２の要素を第２のピッチで規則的に複数配置されて形成される構成で説明する。また、第１の方向、第２の方向及び第３の方向は、少なくとも一つの方向が、残りの方向の少なくとも一つと異なる方向に形成されればよいが、本説明では、第２の要素が配置される方向である第２の方向を基準として、第１の方向及び／又は第３の方向を異ならせる構成で説明する。また、第１の方向が、第２の方向に対して異なる場合の、第１の模様の構成は、第３の実施の形態と同様であるため説明を一部省略する。また、第１の方向又は第３の方向が第２の方向と同じ方向に形成される場合の、第１の模様と第３の模様の構成は、第２の実施の形態と同様であるため説明を一部省略する。また、第１の要素が直線の画線で構成され、第１の模様が第１の要素を第１のピッチで規則的に複数配置されて形成される構成で説明する。また、第１のピッチと第２のピッチが等しい構成で説明する。また、上層と下層に用いられる基材、第１の模様及び第３の模様を構成する色材及び第１の模様及び第３の模様の形成方法についても、第２の実施の形態と同様であるため説明を一部省略する。
【０１４６】
第４の実施の形態の潜像模様形成体について、図３５〜３８を用いて説明する。また、第４の実施の形態の潜像模様形成体を観察したときに視認される画像を、図３９及び図４０を用いて説明する。
【０１４７】
図３５は、潜像模様形成体（９）の他方の面に、第２の方向と異なる方向に第３の要素（３Ａ）が形成されて成る第３の模様（３）の例を示す図である。図３５では、第２の模様を構成する第２の要素（２Ａ）が配置される方向をＸ−Ｘ線で示している。図３６（ａ）〜（ｃ）は、第２の模様（２）と第３の模様（３）の大きさの関係を示す図である。図３７（ａ）〜（ｃ）は、第１の模様（１）、第２の模様（２）及び第３の模様（３）の積層状態を示す図である。図３８（ａ）〜（ｄ）は、第１の要素（１Ａ）、第２の要素（２Ａ）及び第３の要素（３Ａ）の配置を示す図である。図３９（ａ）は、潜像模様形成体（９）の斜視図であり、図３９（ｂ）及び図３９（ｃ）は、潜像模様形成体（９）を反射光により観察した場合に得られる画像を示す図である。図４０（ａ）は、潜像模様形成体（９）の斜視図であり、図４０（ｂ）及び図４０（ｃ）は、潜像模様形成体（９）を透過光により観察した場合に得られる画像を示す図である。
【０１４８】
（第３の模様：構成）
第３の模様（３）を構成する第３の要素（３Ａ）が、第２の方向と異なる第３の方向に形成される場合、第３の模様（３）は、図３５に示すように、下層（４）の上の少なくとも一部に、第３の方向に複数配置された第３の要素（３Ａ）によって形成されて成り、第３の要素（３Ａ）は、図３５の拡大図に示すように、第２の要素（２Ａ）が配置される方向を示すＸ−Ｘ線に対して、傾けて形成される。なお、第３の模様（３）は、第３の要素（３Ａ）を第３のピッチ（Ｐ３）で複数配置又は第３の要素（３Ａ）を異なるピッチで複数配置のいずれで形成してもよい。また、第３の模様（３）が、第３の要素（３Ａ）を第３のピッチ（Ｐ３）で規則的に複数配置して形成される場合、第３のピッチ（Ｐ３）は、第１のピッチ（Ｐ１）と同じピッチでもよいし、第１のピッチ（Ｐ１）と異なるピッチでもよい。
【０１４９】
第４の実施の形態において、「第１の方向」とは、第１の要素（１Ａ）が配置される方向のことであり「第２の方向」とは、第２の要素（２Ａ）が配置される方向のことであり、「第３の方向」とは、第３の要素（３Ａ）が配置される方向のことである。第４の実施の形態では、第１の方向、第２の方向及び第３の方向のうち、少なくとも一つの方向が、残りの方向の少なくとも一つと異なる方向に形成される。なお、このような条件で形成される第１の要素（１Ａ）、第２の要素（２Ａ）及び第３の要素（３Ａ）の配置については後述する。
【０１５０】
第２の要素と第３の要素の傾斜角（β）は、±１度から±１０度の範囲で形成される。第２の要素と第３の要素の傾斜角（β）の好ましい範囲は、±１度から±５度である。これは、第２の要素と第３の要素の傾斜角（β）が小さい方が、潜像の図柄を視認しやすいためである。
【０１５１】
また、第３の要素（３Ａ）は、画線又は複数の画素で構成される。画線及び画素の構成については、前述したとおりである。第３の要素（３Ａ）が、画線で構成される場合、第４の実施の形態の第３の要素（３Ａ）は、図３に示す構成の第３の要素（３Ａ）が、図３５に示すように、第２の方向を示すＸ−Ｘ線に対して傾けて形成される（図示せず）。また、第３の要素（３Ａ）が、画素で構成される場合、第４の実施の形態の第３の要素（３Ａ）は、図４に示す構成の第３の要素（３Ａ）が、図３５に示すように、第２の方向を示すＸ−Ｘ線に対して傾けて形成される（図示せず）。
【０１５２】
以上のように、第３の要素（３Ａ）について説明したが、以降の説明では、第３の要素（３Ａ）が直線の画線で構成され、第３の要素（３Ａ）が第３のピッチ（Ｐ３）で規則的に複数配置される例で説明する。また、第３のピッチ（Ｐ３）が第１のピッチ（Ｐ１）及び第２のピッチ（Ｐ２）と同じピッチで形成される例で説明する。
【０１５３】
第３の模様（３）は、図３６（ａ）に示すように、第２の模様（２）の潜像部（２ａ）より大きく形成されるのが好ましい。より好ましくは、第３の模様（３）は、図３６（ｂ）に示すように、第２の模様（２）と略等しいか、図３６（ｃ）に示すように、第２の模様（２）よりも大きく形成するのがよい。これらの理由は、第２の実施の形態で説明したとおりである。
【０１５４】
（第１の模様、第２の模様及び第３の模様の配置）
第１の模様（１）、第２の模様（２）及び第３の模様（３）の配置について、図３７及び図３８を用いて説明する。なお、図３８は、第１の要素（１Ａ）、第２の要素（２Ａ）及び第３の要素（３Ａ）のみの配置で説明する。
【０１５５】
以上の構成で形成される第１の模様（１）と第３の模様（３）は、図３７（ａ）に示すように、第２の模様（２）を構成する潜像部（２ａ）全体に重なる配置で積層されるのが好ましい。より好ましくは、図３７（ｂ）に示すように、第１の模様（１）と第３の模様（３）が潜像部（２ａ）を含む第２の模様（２）と略等しく形成され、第１の模様（１）と第３の模様（３）が第２の模様（２）全体を覆うように積層する又は図３７（ｃ）に示すように、第１の模様（１）と第３の模様（３）が潜像部（２ａ）を含む第２の模様（２）より大きく形成され、第１の模様（１）と第３の模様（３）が第２の模様（２）全体を覆うように積層するのが良い。これら理由は、第２の実施の形態で説明したとおりである。
【０１５６】
次に、前述した第１の方向、第２の方向及び第３の方向の条件で形成される、第１の要素（１Ａ）、第２の要素（２Ａ）及び第３の要素（３Ａ）の配置について説明する。なお、本説明では、第２の方向を基準としているため、第２の方向を基準として第１の方向及び／又は第３の方向を異ならせた形態について説明する。
【０１５７】
一つ目の配置は、図３８（ａ）に示すように、第１の方向が第２の方向と異なり、第２の方向と第３の方向が同じ場合である。なお、この一つ目の配置を「第１の配置」とする。
【０１５８】
二つ目の配置は、図３８（ｂ）に示すように第１の方向と第３の方向が第２の方向と異なり、第１の方向と第３の方向が同じ場合である。なお、この二つ目の配置を「第２の配置」とする。
【０１５９】
三つ目の配置は、図３８（ｃ）に示すように第１の方向と第３の方向が第２の方向と異なり、第１の方向と第３の方向が異なる場合である。なお、この三つ目の配置を「第３の配置」とする。
【０１６０】
四つ目の配置は、図３８（ｄ）に示すように第３の方向が第２の方向と異なり、第２の方向と第１の方向が同じ場合である。なお、この四つ目の配置を「第４の配置」とする。
【０１６１】
なお、図３８（ａ）に示すように、第２の方向に対して第３の方向が同じ場合、第３の模様（３）を構成する第３の要素（３Ａ）は、第２の模様（２）の潜像部（２ａ）を構成する第２の要素（２Ａ）に重なる配置、第２の模様（２）の背景部（２ｂ）を構成する第２の要素（２Ａ）に重なる配置又は第２の模様（２）の潜像部（２ａ）を構成している第２の要素（２Ａ）と背景部（２ｂ）を構成している第２の要素（２Ａ）にまたがるように重なる配置のいずれで形成してもよい（図示せず）。
【０１６２】
また、図３８（ｄ）に示すように、第２の方向に対して第１の方向が同じ場合、第１の模様（１）を構成する第１の要素（１Ａ）は、第２の模様（２）の潜像部（２ａ）を構成する第２の要素（２Ａ）に重なる配置、第２の模様（２）の背景部（２ｂ）を構成する第２の要素（２Ａ）に重なる配置又は第２の模様（２）の潜像部（２ａ）を構成している第２の要素（２Ａ）と背景部（２ｂ）を構成している第２の要素（２Ａ）にまたがるように重なる配置のいずれで形成してもよい（図示せず）。
【０１６３】
（観察画像）
次に、潜像模様形成体（９）を観察したときに得られる画像について図３９及び図４０を用いて説明する。なお、反射光によって観察したときに得られる画像は、形成した第１の模様（１）と第３の模様（３）がそのまま観察されるので、本説明では一部省略して、図３８（ｃ）に示す第３の配置の潜像模様形成体（９）のみ図示して説明する。また、透過光によって観察したときに得られる画像についても、いずれの配置もグラデーションのかかった潜像（８）が観察されるので、図３８（ｃ）に示す第３の配置の潜像模様形成体（９）のみ図示して説明する。
【０１６４】
図３９（ａ）に示す潜像模様形成体（９）を上層側の正面から反射光によって観察する場合、図３９（ｂ）に示す第１の模様（１）が観察される。また、潜像模様形成体（９）を下層側の正面から反射光によって観察する場合、図３９（ｃ）に示す第３の模様（３）が観察される。その他の配置の潜像模様形成体（９）を反射光によって観察した場合、それぞれの配置で形成した第１の模様（１）と第３の模様（３）が、そのまま観察される（図示せず）。そして、潜像模様形成体（９）を上層側又は下層側から透過光によって観察すると、潜像（８）が観察される。
【０１６５】
第４の実施の形態の潜像模様形成体（９）を表側から透過光によって観察すると図４０（ｂ）に示すようにグラデーションのかかったポジ状態の潜像（８）が観察される。潜像（８）が観察される原理については、前述のとおりであり、第４の実施の形態においても、第１の要素（１Ａ）及び第３の要素（３Ａ）を、第２の要素（２Ａ）に対して傾けることによって、第１の要素（１Ａ）、第３の要素（３Ａ）及び第２の要素（２Ａ）の重なる部分が変化するため、グラデーションがかかったように観察される。同様に、第３の実施の形態の潜像模様形成体（９）を裏側から透過光によって観察すると図４０（ｃ）に示すようにグラデーションのかかったネガ状態の潜像（８）が観察される。その他の配置の潜像模様形成体（９）を透過光によって観察した場合も同様に、グラデーションのかかった状態の潜像（８）が観察される（図示せず）。
【０１６６】
このように、第４の実施の形態の潜像模様形成体（９）を透過光によって観察すると、第１の模様（１）と第３の模様（３）を構成する色材の色でグラデーションのかかった潜像（８）が観察される。
【０１６７】
本説明では、第１の模様（１）が、第１の要素（１Ａ）を異なるピッチで複数配置して形成される場合、第２の模様が、第２の要素（２Ａ）を異なるピッチで複数配置して形成される場合、第３の要素（３Ａ）を異なるピッチで複数配置して形成される場合、潜像部（２ａ）が第２の要素（２Ａ）の幅の一部を異ならせることによって形成される場合、第１の要素（１Ａ）を構成する画線の幅（Ｗ１）と第２の要素（２Ａ）を構成する画線の幅（Ｗ２）と第３の要素（３Ａ）を構成する画線の幅（Ｗ３）が異なる場合等の形態で、透過光によって観察される画像ついての説明は省略するが、それぞれの形態においても、第１の模様（１）と第３の模様（３）が第２の模様（２）に重なる配置は、部分的に第１の配置及び／又は第２の配置及び／又は第３の配置となるため、透過光によって観察するとグラデーションのかかった潜像（８）を観察することができる。  
【０１６８】
第４の実施の形態の潜像模様形成体（９）は、第１の模様（１）、第２の模様（２）及び第３の模様（３）の積層する位置を調整する必要がないため、容易に、本発明の効果を有する潜像模様形成体を作製することができる。
【０１６９】
（第５の実施の形態）
第５の実施の形態は、中間層が光透過性基材と光遮蔽層から成る潜像模様形成体である。第１の実施の形態から第４の実施の形態で説明した中間層は、光透過性基材と光遮蔽層で構成することもできる。本説明では、第１の実施の形態において、中間層が光透過性基材と光遮蔽層から成る潜像模様形成体について説明する。
【０１７０】
なお、光遮蔽層を形成する材料、光遮蔽層の形成方法及び光遮蔽層に形成される第２の模様の構成は、第１の実施の形態と同様であるため説明を一部省略する。また、上層、下層に用いられる基材、第１の模様を構成する色材及び第１の模様の形成方法については、第１の実施の形態と同様であるため説明を一部省略する。また、第１の模様と第２の模様の大きさの関係及び第１の模様と第２の模様の配置についても第１の実施の形態と同様であるため説明を一部省略する。
【０１７１】
第５の実施の形態の潜像模様形成体について、図４１を用いて説明する。なお、第５の実施の形態の潜像模様形成体を観察したときに得られる画像は、第１の実施の形態と同様であるため説明を省略する。
【０１７２】
図４１は、第５の実施の形態の潜像模様形成体（９）の断面図である。第５の実施の形態の潜像模様形成体（９）を構成する中間層（５）は、光透過性の基材（５ｂ）の上に光遮蔽層（５ａ）が形成されて成る。
【０１７３】
（光透過性基材）
図４１に示す光透過性基材（５ｂ）は、上層（６）及び下層（４）と同じように光透過性の基材を用いる。このような材料としては紙、フィルム、プラスチック、不織布等があり、特に不織布を用いた場合、本出願人が出願している特開平１５−１３３９５号公報に記載されている多層抄き合わせ紙の製造装置と製造方法により、不織布にあらかじめ光遮蔽層（５ａ）を形成し、原料層流の間に挿入することで、接着剤を用いることなく、かつ、効率的に上層（４）、下層（６）及び中間層（５）から成る積層体を形成することができるので好ましい。積層体を形成した後、上層側に第１の模様（１）を形成することで潜像模様形成体（９）を作製することができる。
【０１７４】
光透過性基材（５ｂ）に用いる基材は、前述する材料を用いることができるが、上層（６）と下層（４）に光透過性基材（５ｂ）を積層した部分の不透明度が９０％以下となるように、上層（６）、下層（４）及び光透過性基材（５ｂ）に用いる基材を選択する必要がある。これは、前述のように不透明度が９０％より大きいと、光の透過量が少なくなり、透過光で観察した場合の潜像（８）の視認性が低下するからである。
【０１７５】
（光遮蔽層、第２の模様）
光遮蔽層（５ａ）は、光透過性基材（５ｂ）の上に、第１の実施の形態の説明した材料を用いて形成される。このとき、光遮蔽層（５ａ）の少なくとも一部に、第１の実施の形態で説明した方法により、第２の模様（２）が形成される。
【０１７６】
（積層）
潜像模様形成体（９）は、下層（４）、上層（６）及び中間層（５）の各層間に接着剤（図示せず）を塗布し、接着して積層される。塗布される接着剤は、エポキシ系、アクリル系、ウレタン系、酢酸ビニル系のいずれの接着剤を用いてもよい。この場合、第１の模様（１）の形成は、上層（６）が接着される前でもよいし、上層（６）が接着された後に行ってもよい。また、中間層（５）を構成する光透過性基材（５ｂ）に不織布を用いる場合、前述する公報に記載の方法と装置により、脱水、プレス、乾燥等の製紙工程を経て、上層（６）、下層（４）及び中間層（５）から成る積層体を効率的に形成することもできる。この場合、第１の模様（１）は、上層（６）、下層（４）及び中間層（５）から成る積層体が形成された後、上層（６）の上に形成すればよい。
【０１７７】
第５の実施の形態の潜像模様形成体（９）は、第１の実施の形態の潜像模様形成体と同様な潜像（８）が観察される（図示せず）。
【０１７８】
以下、実施例を用いて本発明を更に詳細に説明するが、本発明の内容は、これらの実施例の範囲に限定されるものではない。
【０１７９】
（実施例１）
実施例１は、第１の実施形態の構成で作製された潜像模様形成体（９）である。実施例１の潜像模様形成体（９）について、第１の実施形態で説明した図面を用いて説明する。
【０１８０】
実施例１の潜像模様形成体（９）は、  図１に示すように、下層（４）の上に中間層（５）が形成され、中間層（５）の上に上層（６）が形成され、上層（６）の上に第１の模様（１）が形成されて成る。また、中間層（５）は、光遮蔽層（５ａ）によって構成され、光遮蔽層（５ａ）は、第２の模様（２）が形成されて成る。
【０１８１】
図１に示す下層（４）及び上層（６）には、下層（４）と上層（６）のみを積層した部分の坪量が８２ｇ／ｍ２、紙厚が８７μｍ、不透明度が７０％（ＪＩＳ−P８１４９）で白色の紙材を用いた。また、光遮蔽層（５ａ）には、アルミ箔を用いた。
【０１８２】
図２に示す第１の要素（１Ａ）は、画線の幅（Ｗ１）が２５０μｍの直線で構成し、第１の要素（１Ａ）を第１の方向に形成した。そして、第１のピッチ（Ｐ１）を５００μｍとし、第１の要素（１Ａ）を規則的に複数配置して第１の模様（１）を形成した。なお、第１の模様（１）を構成する色材は、シアンインキ（ＴＫ  ハイユニティネオ  東洋インキ製）とイエローインキ（ＴＫ  ハイユニティネオ  東洋インキ製）を混合したインキを用い、オフセット印刷によって第１の模様（１）を上層（６）の上に形成した。
【０１８３】
図７に示す第２の要素（２Ａ）は、画線の幅（Ｗ２）を２５０μｍの直線で構成し、第２の要素（２Ａ）を第１の方向と同じ方向に形成した。そして、第２のピッチ（Ｐ２）を５００μｍとし、第２の要素（２Ａ）を規則的に複数配置して第２の模様（２）を形成した。さらに、規則的に複数配置された第２の要素（２Ａ）の位相を部分的に異ならせることにより、図８に示すリング型の潜像部（２ａ）と背景部（２ｂ）から成る第２の模様（２）を形成した。なお、第２の模様（２）の形成方法は、レーザ加工器（レーザマーカ  ＭＤ−Ｖ  キーエンス製）を用い、第２の模様の非要素部（２Ａ’）が光遮蔽層（５ａ）を貫通する穿孔の状態とすることで第２の模様（２）を形成した。
【０１８４】
第１の模様（１）及び第２の模様（２）の配置は、図１５（ａ）に示すように、第１の実施の形態における第１の配置とし、下層（４）、上層（６）及び中間層（５）の各層間にアクリル系の接着剤（スプレーのり  ５５  スリーエム製）を塗布して積層した。
【０１８５】
このようにして作製した実施例１の潜像模様形成体（９）を、上層側の正面から反射光によって観察すると、図１６（ｂ）に示す第１の模様（１）が観察され、下層側の正面から反射光によって観察すると、図１６（ｃ）に示す下層（４）を構成する基材の色が観察された。そして、実施例１の潜像模様形成体（９）を、上層側の正面から透過光によって観察すると、図１７（ｂ）に示すポジ状態の潜像（８）が観察され、下層側の正面から透過光によって観察すると、図１７（ｃ）に示すネガ状態の潜像（８）が観察された。
【０１８６】
（実施例２）
実施例２は、実施例１に対して、第１の要素（１Ａ）が画素で構成される潜像模様形成体（９）である。また、中間層を構成する光遮蔽層（５ａ）が光遮蔽性のインキで形成される潜像模様形成体（９）である。実施例２の潜像模様形成体（９）について、第１の実施形態で説明した図面を用いて説明する。なお、実施例２の潜像模様形成体（９）については、実施例１と異なる点のみを説明する。
【０１８７】
実施例２の第１の要素（１Ａ）は、図４（ｅ）に示すマークによる画素で構成した。なお、画素の幅（ｗ１）を２５０μｍ、画素の高さ（Ｗ１）を２５０μｍ、画素のピッチ（ｐ１）を２８０μｍで一定のピッチとし第１の要素（１Ａ）を形成した。そして、第１のピッチ（Ｐ１）を５００μｍとし、第１の要素（１Ａ）を規則的に複数配置して第１の模様（１）を形成した。
【０１８８】
図１に示す中間層（５）を構成する光遮蔽層（５ａ）を、銀インキ（シルバーキングレオ  東洋インキ製）を用いてオフセット印刷により、下層（４）の上に形成した。このとき、光遮蔽層（５ａ）の一部に、第２の模様（２）を形成した。
【０１８９】
このようにして作製した実施例２の潜像模様形成体（９）を、上層側の正面から反射光によって観察すると、第１の模様（１）が観察された。このとき、第１の要素（１Ａ）を構成する画素の幅（ｗ１）が２５０μｍであるのに対して、画素のピッチ（ｐ１）を２８０μｍで形成しており、画素の間隔が３０μｍと小さいため、第１の模様（１）は、直線による第１の要素で形成された模様と同じように観察された。また、ルーペで拡大して第１の模様（１）を観察すると、マークによる画素が観察された。そして、実施例２の潜像模様形成体（９）を、上層側の正面から透過光によって観察すると、ポジ状態の潜像（８）が観察され、下層側の正面から透過光によって観察すると、ネガ状態の潜像（８）が観察された。
【０１９０】
（実施例３）
実施例３は、実施例１に対して、規則的に配置された複数の第２の要素（２Ａ）の幅を部分的に異ならせることによって、潜像部（２ａ）と背景部（２ｂ）に区分けされる第２の模様（２）が形成された潜像模様形成体（９）である。また、第１の要素（１Ａ）が破線による画線で形成される潜像模様形成体（９）である。実施例３の潜像模様形成体（９）について、第１の実施形態で説明した図面を用いて説明する。なお、実施例３の潜像模様形成体（９）については、実施例１と異なる点のみを説明する。
【０１９１】
図３（ａ）に示す第１の要素（１Ａ）は、画線の幅（Ｗ１）を２５０μｍの破線で構成し、第１の要素（１Ａ）を第１の方向に形成した。そして、第１の要素のピッチ（Ｐ１）を５００μｍとし、第１の要素（１Ａ）を規則的に複数配置して第１の模様（１）を形成した。
【０１９２】
図７に示す第２の要素（２Ａ）は、画線の幅（Ｗ２）を２５０μｍの直線で構成し、第２の要素（２Ａ）を第１の方向と同じ方向に形成した。そして、第２の要素のピッチ（Ｐ２）を５００μｍとし、第２の要素（２Ａ）を規則的に複数配置した。さらに、潜像部（２ａ）の画線の幅（Ｗ２Ａ）を４００μｍで形成し、図１０に示す星型の潜像部（２ａ）と背景部（２ｂ）から成る第２の模様（２）を形成した。
【０１９３】
第１の模様（１）と第２の模様（２）の配置は、第１の実施の形態における第２の配置とし、第１の要素（１Ａ）が、潜像部（２ａ）を構成している第２の要素（２Ａ）及び背景部（２ｂ）を構成している第２の要素（２Ａ）にまたがるように重なる配置とした。このようにして作製した実施例３の潜像模様形成体（９）を、上層側又は下層側の正面から透過光によって観察すると、星型の潜像（８）がそれぞれ観察された（図示せず）。
【０１９４】
（実施例４）
実施例４は、実施例１に対して、第１の要素（１Ａ）の画線の幅（Ｗ１）と第２の要素（２Ａ）の画線の幅（Ｗ２）が異なる潜像模様形成体（９）である。実施例４の潜像模様形成体（９）について、第１の実施形態で説明した図面を用いて説明する。なお、実施例４の潜像模様形成体（９）については、実施例１と異なる点のみを説明する。
【０１９５】
図２に示す第１の要素（１Ａ）は、画線の幅（Ｗ１）を３５０μｍの直線で構成し、第１の要素（１Ａ）を第１の方向に形成した。そして、第１のピッチ（Ｐ１）を５００μｍとし、第１の要素（１Ａ）を規則的に複数配置して第１の模様（１）を形成した。また、実施例４の第２の模様（２）は、実施例１と同じ構成で形成した。このように、実施例４では、図１３（ｅ）に示すように、第１の要素（１Ａ）の画線の幅（Ｗ１）が、第２の要素（２Ａ）の画線の幅（Ｗ２）よりも大きい構成とした。そして、第１の要素（１Ａ）の画線の幅（Ｗ１）は、第２の要素（２Ａ）の画線の幅（Ｗ２）よりも大きいため、第１の要素（１Ａ）は、図１５（ｂ）に示すように、第２の模様（２）の潜像部（２ａ）を構成している第２の要素（２Ａ）及び背景部（２ｂ）を構成している第２の要素（２Ａ）にまたがるように重なる配置となった。
【０１９６】
このようにして作製した実施例４の潜像模様形成体（９）を、上層側の正面から透過光によって観察すると、図１８（ｂ）に示すポジ状態の潜像（８）が観察され、下層側の正面から透過光によって観察すると、図１８（ｃ）に示すネガ状態の潜像（８）が観察された。
【０１９７】
（実施例５）
実施例５は、実施例１に対して、第１の要素（１Ａ）を異なるピッチで複数配置して第１の模様（１）が形成される潜像模様形成体（９）である。実施例１の潜像模様形成体（９）について、第１の実施形態で説明した図面を用いて説明する。なお、実施例５の潜像模様形成体（９）については、実施例１と異なる点のみを説明する。
【０１９８】
図３に示す第１の要素のピッチ（Ｐ１）を、図２に示す上側の第１の要素（１Ａ）から順に、６００、５９０、５８０μｍ・・・５２０、５１０、５００μｍと１０μｍずつ異ならせて形成した第１の要素（１Ａ）を繰り返して形成し、第１の模様（１）を形成した。実施例５では、第１の要素（１Ａ）を前述のように異なるピッチで複数配置して形成しているため、第１の模様（１）と第２の模様（２）の配置は、第１の実施の形態における第１の配置と第２の配置が混在した状態となる。詳細には、第１の要素（１Ａ）が第２の要素（２Ａ）及び第２の模様の非要素部（２Ａ’）に重なる面積が、徐々にずれる配置となった。
【０１９９】
このようにして作製した実施例５の潜像模様形成体（９）を、上層側の正面から透過光によって観察すると、図１７（ｂ）に示す潜像（８）の一部と図１８（ｂ）に示す潜像（８）の一部が混在した状態のポジ状態の潜像（８）が観察された。
【０２００】
（実施例６）
実施例６は、実施例１に対して、第１の要素（１Ａ）が配置される第１の方向と第２の要素（２Ａ）の配置される第２の方向が異なる、すなわち、第３の実施の形態の潜像模様形成体（９）である。実施例６の潜像模様形成体（９）について、第３の実施形態で説明した図面を用いて説明する。なお、実施例５の潜像模様形成体（９）については、実施例１と異なる点のみを説明する。
【０２０１】
図２９に示す第１の要素（１Ａ）は、画線の幅（Ｗ１）を２５０μｍの直線で構成し、第１の要素（１Ａ）を第１の方向に形成した。なお、第１の要素（１Ａ）は、第２の要素（２Ａ）に対して、１０度傾けて形成した。そして、第１のピッチ（Ｐ１）を５００μｍとし、第１の要素（１Ａ）を規則的に複数配置して第１の模様（１）を形成した。第１の要素（１Ａ）は第２の要素（２Ａ）に対して傾けて形成しているため、第１の要素（１Ａ）は、図３２に示すように、第２の模様（２）の潜像部（２ａ）を構成する第２の要素（２Ａ）、潜像部の非要素部（２ａ’）、第２の模様（２）の背景部（２ｂ）を構成する第２の要素（２Ａ）及び背景部の非要素部（２ｂ’）に部分的に重なる配置となった。
【０２０２】
このようにして作製した実施例６の潜像模様形成体（９）を、上層側の正面から透過光によって観察すると、図３４（ｂ）に示すグラデーションのかかったポジ状態の潜像（８）が観察され、下層側の正面から透過光によって観察すると、図３４（ｃ）に示すグラデーションのかかったネガ状態の潜像（８）が観察された。
【０２０３】
（実施例７）
実施例７は、実施例１に対して、中間層（５）が光透過性基材（５ｂ）と光遮蔽層（５ａ）で構成される、すなわち、第５の実施の形態の潜像模様形成体（９）である。実施例７の潜像模様形成体（９）について、第５の実施形態で説明した図面を用いて説明する。なお、実施例７の潜像模様形成体（９）については、実施例１と異なる点のみを説明する。
【０２０４】
図４１に示す中間層（５）を構成する光透過性基材（５ｂ）には、坪量：１２ｇ／ｍ２、紙厚：３５μｍ、不透明度：２５％（ＪＩＳ−P８１４９）、白色のロール状に巻き取られた不織布（廣瀬製紙製）を用いた。そして、予め不織布に、銀インキ（シルバーキングレオ  東洋インキ製）を用いて、光遮蔽層（５ａ）を形成し、同時に、光遮蔽層（５ａ）の一部に、第２の模様（２）を形成した。次に、本出願人が出願している特開平１５−１３３９５号公報に記載されている多層抄き合わせ紙の製造装置と製造方法により、不織布を原料層流の間に挿入して、脱水、プレス、乾燥、カレンダの工程を経て、上層（６）、下層（４）及び中間層（５）から成る積層体を作製した。このとき、上層（６）と下層（４）のみを積層した部分の坪量は８２ｇ／ｍ２、紙厚は８７μｍ、不透明度は７０％（ＪＩＳ−P８１４９）であった。そして、上層（６）の上に、第１の模様（１）を第２の模様（２）に重なるように配置して、潜像模様形成体（９）を作製した。
【０２０５】
このようにして作製した実施例７の潜像模様形成体（９）を、上層側の正面から透過光によって観察すると、ポジ状態の潜像（８）が観察され、下層側の正面から透過光によって観察すると、ネガ状態の潜像（８）が観察された。
【０２０６】
（実施例８）
実施例８は、実施例１に対して、下層（４）の上に第３の模様（３）が形成される、すなわち、第２の実施の形態の潜像模様形成体（９）である。実施例８の潜像模様形成体（９）について、第２の実施形態で説明した図面を用いて説明する。なお、実施例８の潜像模様形成体（９）については、実施例１と異なる点のみを説明する。
【０２０７】
図２０に示す第３の要素（３Ａ）は、画線の幅（Ｗ３）を２５０μｍの直線で構成し、第３の要素（３Ａ）を第１の方向と同じ方向に形成した。そして、第３のピッチ（Ｐ３）を５００μｍとし、第３の要素（３Ａ）を規則的に複数配置して第３の模様（３）を形成した。なお、第３の模様（３）を構成する色材は、マゼンタインキ（ＴＫ  ハイユニティネオ  東洋インキ製）を用い、オフセット印刷によって第３の模様（３）を下層（４）の上に形成した。
【０２０８】
第１の要素（１Ａ）、第２の要素（２Ａ）及び第３の要素（３Ａ）の配置は、図２４（ａ）に示す、第２の実施の形態における第１の配置で積層した。
【０２０９】
このようにして作製した実施例８の潜像模様形成体（９）を、上層側の正面から反射光によって観察すると、図２５（ｂ）に示す第１の模様（１）がシアンとイエローの混色した色で観察され、下層側の正面から反射光によって観察すると、図２５（ｃ）に示す第２の模様（２）がマゼンタの色で観察された。そして、実施例８の潜像模様形成体（９）を、上層側の正面から透過光によって観察すると、図２６（ｂ）に示すように、第１の模様（１）と第３の模様（３）を構成する色材の色によるポジ状態の潜像（８）が観察され、下層側の正面から透過光によって観察すると、図２６（ｃ）に示すように第１の模様（１）と第３の模様（３）を構成する色材の色によるネガ状態の潜像（８）が観察された。
【０２１０】
（実施例９）
実施例９は、実施例８に対して、第２の要素が配置される第２の方向を基準として、第１の要素（１Ａ）が配置される第１の方向と第３の要素（３Ａ）が配置される第３の方向をそれぞれ異ならせた、すなわち、第４の実施の形態の潜像模様形成体（９）である。実施例９の潜像模様形成体（９）について、第４の実施形態で説明した図面を用いて説明する。なお、実施例９の潜像模様形成体（９）については、実施例８と異なる点のみを説明する。
【０２１１】
実施例９の第１の要素（１Ａ）は、図２９に示すように、画線の幅（Ｗ１）を２５０μｍの直線で構成し、第１の要素（１Ａ）を第１の方向に形成した。なお、第１の要素（１Ａ）は、第２の要素（２Ａ）に対して、１０度傾けて形成した。そして、第１のピッチ（Ｐ１）を５００μｍとし、第１の要素（１Ａ）を規則的に複数配置して第１の模様（１）を形成した。
【０２１２】
実施例９の第３の要素（３Ａ）は、図３５に示すように、画線の幅（Ｗ３）を２５０μｍの直線で構成し、第３の要素（３Ａ）を第３の方向に形成した。なお、第３の要素（３Ａ）は、第２の要素（２Ａ）に対して、マイナス１０度傾けて形成した。そして、第３のピッチ（Ｐ３）を５００μｍとし、第３の要素（３Ａ）を規則的に複数配置して第３の模様（３）を形成した。
【０２１３】
このようにして作製した実施例９の潜像模様形成体（９）を、上層側の正面から透過光によって観察すると、図４０（ｂ）に示すように、第１の模様（１）と第３の模様（３）を構成する色材の色によるグラデーションのかかったポジ状態の潜像（８）が観察され、下層側の正面から透過光によって観察すると、図４０（ｃ）に示すように、第１の模様（１）と第３の模様（３）を構成する色材の色によるグラデーションのかかったネガ状態の潜像（８）が観察された。
【図面の簡単な説明】
【０２１４】
【図１】第１の実施の形態の潜像模様形成体の断面図である。
【図２】第１の模様を示す図である。
【図３】画線で構成される第１の要素の例を示す図である。
【図４】画素で構成される第１の要素の例を示す図である。
【図５】第２の模様の構成の例を示す図である。
【図６】図５に示す第２の模様の潜像部と背景部を示す図である。
【図７】第２の模様の構成の例を示す図である。
【図８】図７に示す第２の模様の潜像部と背景部を示す図である。
【図９】第２の模様の構成の例を示す図である。
【図１０】第２の模様の構成の例を示す図である。
【図１１】第１の要素と第２の要素の画線の幅の関係を示す図である。
【図１２】第１の模様と第２の模様の大きさの関係を示す図である。
【図１３】第１の模様と第２の模様の積層状態を示す図である。
【図１４】第２の模様の非要素部を説明する図である。
【図１５】第１の要素と第２の要素の配置を示す図である。
【図１６】潜像模様形成体を反射光により観察した場合に得られる画像を示す図である。
【図１７】潜像模様形成体を透過光により観察した場合に得られる画像を示す図である。
【図１８】潜像模様形成体を透過光により観察した場合に得られる画像を示す図である。
【図１９】第２の実施の形態の潜像模様形成体の断面図である。
【図２０】第３の模様を示す図である。
【図２１】第１の要素、第２の要素及び第３の要素の画線の幅の関係を示す図である。
【図２２】第２の模様と第３の模様の大きさの関係を示す図である。
【図２３】第１の模様、第２の模様及び第３の模様の積層状態を示す図である。
【図２４】第１の要素、第２の要素及び第３の要素の配置を示す図である。
【図２５】第２の実施の形態の潜像模様形成体を反射光により観察した場合に得られる画像を示す図である。
【図２６】第２の実施の形態の潜像模様形成体を透過光により観察した場合に得られる画像を示す図である。
【図２７】第２の実施の形態の潜像模様形成体を透過光により観察した場合に得られる画像を示す図である。
【図２８】第２の実施の形態の潜像模様形成体を透過光により観察した場合に得られる画像を示す図である。
【図２９】第１の模様を示す図である（第３の実施の形態）。
【図３０】第１の模様と第２の模様の大きさの関係を示す図である（第３の実施の形態）。
【図３１】第１の模様と第２の模様の積層状態を示す図である（第３の実施の形態）。
【図３２】第１の要素と第２の要素の配置を示す図である（第３の実施の形態）。
【図３３】第３の実施の形態の潜像模様形成体を反射光により観察した場合に得られる画像を示す図である。
【図３４】第３の実施の形態の潜像模様形成体を透過光により観察した場合に得られる画像を示す図である。
【図３５】第３の模様を示す図である（第４の実施の形態）。
【図３６】第２の模様と第３の模様の大きさの関係を示す図である。
【図３７】第１の模様、第２の模様及び第３の模様の積層状態を示す図である。
【図３８】第１の要素、第２の要素及び第３の要素の配置を示す図である。
【図３９】第４の実施の形態の潜像模様形成体を反射光により観察した場合に得られる画像を示す図である。
【図４０】第４の実施の形態の潜像模様形成体を透過光により観察した場合に得られる画像を示す図である。
【図４１】第５の実施の形態の潜像模様形成体の断面図である。
【符号の説明】
【０２１５】
１      第１の模様
１Ａ    第１の要素
２      第２の模様
２Ａ    第２の要素
２Ａ’   第２の模様の非要素部
２ａ    潜像部
２ａ’  潜像部の非要素部
２ｂ    背景部
２ｂ’   背景部の非要素部
３      第３の模様
３Ａ    第３の要素
４      下層
５      中間層
５ａ    光遮蔽層
５ｂ    光透過性基材
６      上層
８      潜像
９      潜像模様形成体  
Ｗ１    画線の幅、画素の高さ
Ｘ１     画素の幅
Ｐ１    第１のピッチ
ｐ１    画素のピッチ
Ｗ２    画線の幅、画素の高さ
Ｗ２Ａ  画線の幅（潜像部）
Ｘ２      画素の幅
Ｐ２    第２のピッチ
ｐ２    画素のピッチ
Ｗ３    画線の幅、画素の高さ
Ｘ３    画素の幅
Ｐ３    第３のピッチ
ｐ３    画素のピッチ
α      第１の要素と第２の要素の傾斜角
β      第２の要素と第３の要素の傾斜角
θ      角度
【図１】
2010083053.tif 000003
【図２】
2010083053.tif 000004
【図３】
2010083053.tif 000005
【図４】
2010083053.tif 000006
【図５】
2010083053.tif 000007
【図６】
2010083053.tif 000008
【図７】
2010083053.tif 000009
【図８】
2010083053.tif 000010
【図９】
2010083053.tif 000011
【図１０】
2010083053.tif 000012
【図１１】
2010083053.tif 000013
【図１２】
2010083053.tif 000014
【図１３】
2010083053.tif 000015
【図１４】
2010083053.tif 000016
【図１５】
2010083053.tif 000017
【図１６】
2010083053.tif 000018
【図１７】
2010083053.tif 000019
【図１８】
2010083053.tif 000020
【図１９】
2010083053.tif 000021
【図２０】
2010083053.tif 000022
【図２１】
2010083053.tif 000023
【図２２】
2010083053.tif 000024
【図２３】
2010083053.tif 000025
【図２４】
2010083053.tif 000026
【図２５】
2010083053.tif 000027
【図２６】
2010083053.tif 000028
【図２７】
2010083053.tif 000029
【図２８】
2010083053.tif 000030
【図２９】
2010083053.tif 000031
【図３０】
2010083053.tif 000032
【図３１】
2010083053.tif 000033
【図３２】
2010083053.tif 000034
【図３３】
2010083053.tif 000035
【図３４】
2010083053.tif 000036
【図３５】
2010083053.tif 000037
【図３６】
2010083053.tif 000038
【図３７】
2010083053.tif 000039
【図３８】
2010083053.tif 000040
【図３９】
2010083053.tif 000041
【図４０】
2010083053.tif 000042
【図４１】
2010083053.tif 000043